(57)【要約】【課題】個人間での電子バリューの移動を容易に行うことができる情報処理装置、管理サーバ、中間サーバ及び情報処理方法を提供すること。【解決手段】情報処理装置は、第１のメモリ部と、リーダライタと、通信部と、制御部と、アプリケーションとを具備する。上記第１のメモリ部には電子バリューが記録される。上記リーダライタは電子バリューが記録される第２のメモリ部を備える通信機器と近距離無線通信を行う。上記通信部は管理サーバと通信する。上記制御部はリーダライタを介した通信機器との電子バリューの移動を制御する。上記アプリケーションは電子バリューの移動に関するユーザインターフェースを表示部に表示させる。上記制御部は、アプリケーションの操作に基づき、通信部を介して管理サーバより受信した指示を基に、電子バリューの移動分を第１のメモリ部から削除し、移動分の電子バリューを通信機器の第２のメモリ部に追加させる指示を、リーダライタを介して通信機器に送信する。【選択図】図２
2019044167.tif 000002
【特許請求の範囲】
【請求項１】
電子バリューが記録される第１のメモリ部と、
第２のメモリ部を備える通信機器と近距離無線通信を行うリーダライタと、
管理サーバと通信する通信部と、
前記リーダライタを介した前記通信機器との前記電子バリューの移動を制御する制御部と、
前記電子バリューの移動に関するユーザインターフェースを表示部に表示させるアプリケ―ションと
を具備し、
前記制御部は、前記アプリケーションの操作に基づき、前記通信部を介して前記管理サーバより受信した指示を基に、前記電子バリューの移動分を前記第１のメモリ部から削除し、前記移動分の電子バリューを前記通信機器の前記第２のメモリ部に追加させる指示を、前記リーダライタを介して前記通信機器に送信する
情報処理装置。
【請求項２】
請求項１に記載の情報処理装置であって、
前記制御部は、前記アプリケーションの操作に基づき、前記通信部を介して前記管理サーバより受信した指示を基に、前記リーダライタを起動する
情報処理装置。
【請求項３】
請求項２に記載の情報処理装置であって、
前記電子バリューの移動は、種類が異なる電子バリューに変換しての移動である
情報処理装置。
【請求項４】
請求項３に記載の情報処理装置であって、
前記第１のメモリ部は前記電子バリューとして第１の電子マネーを記録可能に構成され、前記第２のメモリ部は前記第１の電子マネーとは異なる種類の第２の電子マネーを記録可能に構成され、
前記制御部は、前記アプリケーションの操作に基づき、前記通信部を介して前記管理サーバより受信した指示を基に、移動分の前記第１の電子マネーを前記第１のメモリ部から削除し、前記移動分の前記第１の電子マネーから変換された第２の電子マネーを前記第２のメモリ部に追加させる指示を、前記リーダライタを介して前記通信機器に送信する
情報処理装置。
【請求項５】
請求項１に記載の情報処理装置であって、
前記第１のメモリ部は前記電子バリューとして第１の電子マネーと電子チケットを記録可能に構成され、前記第２のメモリ部は前記第１の電子マネーとは種類が異なる第２の電子マネーと前記電子チケットを記録可能に構成され、
前記制御部は、前記アプリケーションの操作に基づき、前記通信部を介して前記管理サーバより受信した指示を基に、移動分の前記第１の電子マネーを前記第１のメモリ部から削除し、前記電子チケットを前記第１のメモリ部に追加し、前記移動分の前記第１の電子マネーから変換された第２の電子マネーを前記第２のメモリ部に追加させ、前記電子チケットを前記第２のメモリ部から削除させる指示を、前記リーダライタを介して前記通信機器に送信する
情報処理装置。
【請求項６】
請求項１に記載の情報処理装置であって、
前記電子バリューは電子チケットである
情報処理装置。
【請求項７】
請求項１に記載の情報処理装置であって、
前記電子バリューはクーポンである
情報処理装置。
【請求項８】
第１の電子バリューが記録される第１のメモリ部とリーダライタとを備え、管理サーバと通信する情報処理装置の前記リーダライタと近距離無線通信する近距離無線通信部と、
前記第１の電子バリューとは異なる種類の第２の電子バリューが記録される第２のメモリ部と
を具備し、
前記第２のメモリ部には、前記情報処理装置からの前記第１のメモリ部に記録される前記第１の電子バリューを前記第２の電子バリューに変換して前記第２のメモリ部へ移動するという電子バリューの移動の要求を基になされた前記管理サーバからの指示に基づき、前記リーダライタを介して、移動分の前記第２の電子バリューが追加される
通信機器。
【請求項９】
リーダライタと電子バリューが記録される第１のメモリ部とを備える情報処理装置の前記第１のメモリ部に記録される前記電子バリューを、前記リーダライタと近距離無線通信し、第２のメモリ部を備える通信機器の前記第２のメモリ部に移動するという前記情報処理装置からの前記電子バリューの移動の要求を受信する通信部と、
前記情報処理装置に対し、前記電子バリューの移動の要求を基に、移動分の前記電子バリューを前記第１のメモリ部から削除する指示と、移動分の前記電子バリューを前記通信機器の前記第２のメモリ部に追加する指示をする処理実行部と
を具備する管理サーバ。
【請求項１０】
請求項９に記載の管理サーバであって、
前記第１のメモリ部は前記電子バリューとして第１の電子マネーを記録可能に構成され、前記第２のメモリ部は前記第１の電子マネーとは異なる種類の第２の電子マネーを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動の要求を基に、前記情報処理装置に対して移動分の前記第１の電子マネーを前記第１のメモリ部から削除する指示と、移動分の前記第２の電子マネーを前記第２のメモリ部に追加する指示をする
管理サーバ。
【請求項１１】
請求項９に記載の管理サーバであって、
前記第１のメモリ部は前記電子バリューとして第１の電子マネーと電子チケットを記録可能に構成され、前記第２のメモリ部は前記第１の電子マネーと種類が異なる第２の電子マネーと前記電子チケットを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動と前記第２のメモリ部に記録される前記電子チケットの前記第１のメモリ部への移動の要求を基に、前記情報処理装置に対して、移動分の前記第１の電子マネーを前記第１のメモリ部から削除し、前記電子チケットを前記第１のメモリ部に追加する指示と、前記電子チケットを前記第２のメモリ部から削除し、移動分の前記第２の電子マネーを前記第２のメモリ部に追加する指示をする
管理サーバ。
【請求項１２】
リーダライタと電子バリューが記録される第１のメモリ部とを備える情報処理装置から、第２のメモリ部を備え、前記リーダライタと近距離無線通信する通信機器の前記第２のメモリ部に、前記第１のメモリ部に記録される前記電子バリューを移動するという前記電子バリューの移動の要求を受信する通信部と、
前記電子バリューの移動要求を基に、前記管理サーバに対して、移動分の前記電子バリューを前記第１のメモリ部から削除し、移動分の前記電子バリューを前記第２のメモリ部に追加するよう要求する処理実行部と
を具備する中間サーバ。
【請求項１３】
請求項１２に記載の中間サーバであって、
前記第１のメモリ部は前記電子バリューとして第１の電子マネーを記録可能に構成され、前記第２のメモリ部は前記第１の電子マネーとは異なる種類の第２の電子マネーを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動の要求を基に、前記管理サーバに対して、移動分の前記第１の電子マネーを前記第１のメモリ部から削除し、移動分の前記第２の電子マネーを前記第２のメモリ部に追加するよう要求する
中間サーバ。
【請求項１４】
請求項１２に記載の中間サーバであって、
前記第１のメモリ部は前記電子バリューとして第１の電子マネーと電子チケットを記録可能に構成され、前記第２のメモリ部は前記第１の電子マネーと種類が異なる第２の電子マネーと前記電子チケットを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動と前記第２のメモリ部に記録される前記電子チケットの前記第１のメモリ部への移動の要求を基に、前記管理サーバに対して、移動分の前記第１の電子マネーを前記第１のメモリ部から削除し、移動分の前記第２の電子マネーを前記第２のメモリ部に追加し、前記電子チケットを前記第２のメモリ部から削除し、前記電子チケットを前記第１のメモリ部に追加するよう要求する
中間サーバ。
【請求項１５】
通信部とリーダライタと電子バリューが記録される第１のメモリ部を備え、前記リーダライタを用いて、電子バリューが記録される第２のメモリ部を備える通信機器と近距離無線通信をする情報処理装置の情報処理方法であって、
前記第２のメモリ部への前記第１のメモリ部に記録される電子バリューの移動を、前記通信部を介して中間サーバに要求し、
前記リーダライタを起動し、
前記リーダライタを用いて前記通信機器と近距離無線通信し、
前記電子バリューの移動の要求を基に前記中間サーバにより前記管理サーバに対してなされた要求に基づいて前記管理サーバからなされた指示により、移動分の前記電子バリューを前記第１のメモリ部から削除し、移動分の前記電子バリューを前記第２のメモリ部に追加させる指示を、前記リーダライタを介して前記通信機器に対して送信する
情報処理方法。
【請求項１６】
第２のメモリ部を備える通信機器と近距離無線通信を行うリーダライタと電子バリューが記録される第１のメモリ部とを備える情報処理装置と通信する管理サーバの情報処理方法であって、
前記情報処理装置から前記第１のメモリ部に記録される前記電子バリューを前記第２のメモリ部に移動するという前記電子バリューの移動の要求を受けた中間サーバから送信された、前記第１のメモリ部から移動分の前記電子バリューを削除する削除要求を受信し、
前記削除要求を基に、前記情報処理装置に対して、移動分の前記電子バリューを前記第１のメモリ部から削除するよう指示し、
前記中間サーバから送信された、前記第２のメモリ部へ移動分の前記電子バリューを追加する追加要求を受信し、
前記追加要求を基に、前記情報処理装置に対して、移動分の前記電子バリューを前記第２のメモリ部に追加するよう指示する
情報処理方法。
【請求項１７】
第２のメモリ部を備える通信機器と近距離無線通信を行うリーダライタと電子バリューが記録される第１のメモリ部とを備える情報処理装置と管理サーバと通信する中間サーバの情報処理方法であって、
前記情報処理装置から、前記第１のメモリ部に記録される前記電子バリューを前記第２のメモリ部に移動するという前記電子バリューの移動の要求を受信し、
前記管理サーバに対し、前記第１のメモリ部からの移動分の前記電子バリューの削除を要求し、
前記管理サーバに対し、前記第２のメモリ部への移動分の前記電子バリューの追加を要求する
情報処理方法。
【発明の詳細な説明】
【技術分野】
【０００１】
本技術は、個人間の電子バリューの移動に関する情報処理装置、管理サーバ、中間サーバ及び情報処理方法に関する。
【背景技術】
【０００２】
近年、ＩＣチップを内蔵したカードや携帯電話といった端末機器による近距離無線通信の技術を利用した、駅の自動改札機の利用や、電子マネーによる店舗での商品代金の決済などを行うシステムが広く普及している。近距離無線通信は、カードや端末機器とリーダライタを例えば１０ｃｍ程度以下に近づけることで可能になる通信である。カードや端末機器には電子マネー等の金銭的価値のあるバリューが格納されており、カードや端末機器を、駅の自動改札機や店舗にあるリーダライタにかざすことによって、電子マネーによる乗車代金や商品代金の決済を行うことができる。【０００３】
このようなＩＣチップを内蔵した端末機器同士間で電子バリューの交換を行うことが検討されている（例えば、特許文献１参照。）。特許文献１には、異なる管理者によって発行され通信端末に記憶された電子バリュー同士を、利用者間で送受信した識別子に基づいて照合サーバにて交換が認証された場合に交換を行うことが記載されている。また、特許文献２には、ユーザが店舗にて電子マネーを利用して商品代金の決済を行うことが記載されており、異なる電子マネーを交換する中間サーバを設けることによって、自分が保有している電子マネーで、自分が保有している電子マネーとは異なる電子マネーで店舗に代金を支払うことができることが記載されている。
【先行技術文献】
【特許文献】
【０００４】
【特許文献１】特開２００８−２５７４３９号公報
【特許文献２】特開２００７−４１６７３号公報
【発明の概要】
【発明が解決しようとする課題】
【０００５】
上述の特許文献記載される技術では、電子マネーを他の種類の電子マネーに交換することが記載されているが、特許文献１では、異なる端末機器の双方がそれぞれサーバにアクセスする必要があり、特許文献２では、支払側と店舗の双方がそれぞれサーバにアクセスする必要がある。【０００６】
以上のような事情に鑑み、個人間での電子バリューの移動を容易に行うことができる情報処理装置、管理サーバ、中間サーバ及び情報処理方法を提供することにある。
【課題を解決するための手段】
【０００７】
上記目的を達成するため、本技術に係る情報処理装置は、第１のメモリ部と、リーダライタと、通信部と、制御部と、アプリケーションとを具備する。
上記第１のメモリ部には、電子バリューが記録される。
上記リーダライタは、第２のメモリ部を備える通信機器と近距離無線通信を行う。
上記通信部は、管理サーバと通信する。
上記制御部は、上記リーダライタを介した上記通信機器との上記電子バリューの移動を制御する。
上記アプリケーションは、上記電子バリューの移動に関するユーザインターフェースを表示部に表示させる。
上記制御部は、上記アプリケーションの操作に基づき、上記通信部を介して上記管理サーバより受信した指示を基に、上記電子バリューの移動分を上記第１のメモリ部から削除し、上記移動分の電子バリューを上記通信機器の上記第２のメモリ部に追加させる指示を、上記リーダライタを介して上記通信機器に送信する。【０００８】
このような構成によれば、情報処理装置はリーダライタを用いて通信機器と近距離無線通信し、リーダライタを介して管理サーバからの指示を通信機器に送信して、第２のメモリ部のデータの書き換えを行うことができる。従って、通信機器は管理サーバとアクセスする必要がなく、情報処理装置と通信機器とをかざすだけで個人間の電子バリューの移動を容易に行うことができる。【０００９】
上記制御部は、上記アプリケーションの操作に基づき、上記通信部を介して上記管理サーバより受信した指示を基に、上記リーダライタを起動してもよい。【００１０】
上記電子バリューの移動は、種類が異なる電子バリューに変換しての移動であってもよい。
このように、第１のメモリ部に記録されている電子バリューを、この電子バリューとは違う種類の電子バリューに変換して第２のメモリ部に移動させることができる。【００１１】
上記第１のメモリ部は上記電子バリューとして第１の電子マネーを記録可能に構成され、上記第２のメモリ部は上記第１の電子マネーとは異なる種類の第２の電子マネーを記録可能に構成され、上記制御部は、上記アプリケーションの操作に基づき、上記通信部を介して上記管理サーバより受信した指示を基に、移動分の上記第１の電子マネーを上記第１のメモリ部から削除し、上記移動分の上記第１の電子マネーから変換された第２の電子マネーを上記第２のメモリ部に追加させる指示を、上記リーダライタを介して上記通信機器に送信してもよい。【００１２】
このような構成によれば、第１の電子マネーを種類の異なる第２の電子マネーに変換して移動することができ、情報処理装置及び通信機器が互いに種類の異なる電子マネーしか保有していなくとも、電子マネーの移動が可能となるので、利便性が良い。【００１３】
上記第１のメモリ部は上記電子バリューとして第１の電子マネーと電子チケットを記録可能に構成され、上記第２のメモリ部は上記第１の電子マネーとは種類が異なる第２の電子マネーと上記電子チケットを記録可能に構成され、上記制御部は、上記アプリケーションの操作に基づき、上記通信部を介して上記管理サーバより受信した指示を基に、移動分の上記第１の電子マネーを上記第１のメモリ部から削除し、上記電子チケットを上記第１のメモリ部に追加し、上記移動分の上記第１の電子マネーから変換された第２の電子マネーを上記第２のメモリ部に追加させ、上記電子チケットを上記第２のメモリ部から削除させる指示を、上記リーダライタを介して上記通信機器に送信してもよい。【００１４】
このような構成によれば、電子チケットの移動と電子マネーの移動とにより、電子チケットの転売を行うことができる。【００１５】
上記電子バリューは電子チケットであってもよい。
このように、電子マネーの移動がなく電子チケットのみの移動であってもよい。【００１６】
上記電子バリューはクーポンであってもよい。【００１７】
本技術に係る通信機器は、近距離無線通信部と、第２のメモリ部とを具備する。
上記近距離無線通信部は、第１の電子バリューが記録される第１のメモリ部とリーダライタとを備え、管理サーバと通信する情報処理装置の上記リーダライタと近距離無線通信する。
上記第２のメモリ部には、上記第１の電子バリューとは異なる種類の第２の電子バリューが記録される。
上記第２のメモリ部には、上記情報処理装置からの上記第１のメモリ部に記録される上記第１の電子バリューを上記第２の電子バリューに変換して上記第２のメモリ部へ移動するという電子バリューの移動の要求を基になされた上記管理サーバからの指示に基づき、上記リーダライタを介して、移動分の上記第２の電子バリューが追加される。【００１８】
このような構成によれば、通信機器の第２のメモリ部のデータは、管理サーバからの指示に基づき、リーダライタを介して、情報処理装置により書き換えが可能となる。これにより、通信機器は管理サーバに直接アクセスする必要がなく、通信機器は、容易に情報処理装置から電子バリューを受け取ることができる。【００１９】
本技術に係る管理サーバは、通信部と、処理実行部とを具備する。
上記通信部は、リーダライタと電子バリューが記録される第１のメモリ部とを備える情報処理装置の上記第１のメモリ部に記録される上記電子バリューを、上記リーダライタと近距離無線通信し、第２のメモリ部を備える通信機器の上記第２のメモリ部に移動するという上記情報処理装置からの上記電子バリューの移動の要求を受信する。
上記処理実行部は、上記情報処理装置に対し、上記電子バリューの移動の要求を基に、移動分の上記電子バリューを上記第１のメモリ部から削除する指示と、移動分の上記電子バリューを上記通信機器の上記第２のメモリ部に追加する指示をする。【００２０】
このような構成によれば、通信機器の第２のメモリ部のデータは、管理サーバからの指示に基づき、リーダライタを介して、情報処理装置により書き換えが可能となる。これにより、通信機器は管理サーバに直接アクセスする必要がなく、容易に情報処理装置から通信機器へ電子バリューを移動させることができる。【００２１】
上記第１のメモリ部は上記電子バリューとして第１の電子マネーを記録可能に構成され、上記第２のメモリ部は上記第１の電子マネーとは異なる種類の第２の電子マネーを記録可能に構成され、上記処理実行部は、上記情報処理装置からの上記第１のメモリ部に記録される上記第１の電子マネーを上記第２の電子マネーに変換して上記第２のメモリ部へ移動するという電子マネーの移動の要求を基に、上記情報処理装置に対して移動分の上記第１の電子マネーを上記第１のメモリ部から削除する指示と、移動分の上記第２の電子マネーを上記第２のメモリ部に追加する指示をしてもよい。【００２２】
このような構成によれば、第１の電子マネーを種類の異なる第２の電子マネーに変換して移動することができ、利便性が良い。【００２３】
上記第１のメモリ部は上記電子バリューとして第１の電子マネーと電子チケットを記録可能に構成され、上記第２のメモリ部は上記第１の電子マネーと種類が異なる第２の電子マネーと上記電子チケットを記録可能に構成され、上記処理実行部は、上記情報処理装置からの上記第１のメモリ部に記録される上記第１の電子マネーを上記第２の電子マネーに変換して上記第２のメモリ部へ移動するという電子マネーの移動と上記第２のメモリ部に記録される上記電子チケットの上記第１のメモリ部への移動の要求を基に、上記情報処理装置に対して、移動分の上記第１の電子マネーを上記第１のメモリ部から削除し、上記電子チケットを上記第１のメモリ部に追加する指示と、上記電子チケットを上記第２のメモリ部から削除し、移動分の上記第２の電子マネーを上記第２のメモリ部に追加する指示をしてもよい。【００２４】
このような構成によれば、電子チケットの移動と電子マネーの移動とにより、電子チケットの転売を行うことができる。【００２５】
本技術に係る中間サーバは、通信部と、処理実行部とを具備する。
上記通信部は、リーダライタと電子バリューが記録される第１のメモリ部とを備える情報処理装置から、第２のメモリ部を備え、上記リーダライタと近距離無線通信する通信機器の上記第２のメモリ部に、上記第１のメモリ部に記録される上記電子バリューを移動するという上記電子バリューの移動の要求を受信する。
上記処理実行部は、上記電子バリューの移動要求を基に、上記管理サーバに対して、移動分の上記電子バリューを上記第１のメモリ部から削除し、移動分の上記電子バリューを上記第２のメモリ部に追加するよう要求する。【００２６】
このような構成によれば、通信機器の第２のメモリ部のデータは、管理サーバからの指示に基づき、リーダライタを介して、情報処理装置により書き換えが可能となる。これにより、通信機器は管理サーバに直接アクセスする必要がなく、容易に情報処理装置から通信機器へ電子バリューを移動させることができる。【００２７】
上記第１のメモリ部は上記電子バリューとして第１の電子マネーを記録可能に構成され、上記第２のメモリ部は上記第１の電子マネーとは異なる種類の第２の電子マネーを記録可能に構成され、上記処理実行部は、上記情報処理装置からの上記第１のメモリ部に記録される上記第１の電子マネーを上記第２の電子マネーに変換して上記第２のメモリ部へ移動するという電子マネーの移動の要求を基に、上記管理サーバに対して、移動分の上記第１の電子マネーを上記第１のメモリ部から削除し、移動分の上記第２の電子マネーを上記第２のメモリ部に追加するよう要求してもよい。【００２８】
このように、異なる種類の電子マネーに変換して移動させることができ、利便性がよい。【００２９】
上記第１のメモリ部は上記電子バリューとして第１の電子マネーと電子チケットを記録可能に構成され、上記第２のメモリ部は上記第１の電子マネーと種類が異なる第２の電子マネーと上記電子チケットを記録可能に構成され、上記処理実行部は、上記情報処理装置からの上記第１のメモリ部に記録される上記第１の電子マネーを上記第２の電子マネーに変換して上記第２のメモリ部へ移動するという電子マネーの移動と上記第２のメモリ部に記録される上記電子チケットの上記第１のメモリ部への移動の要求を基に、上記管理サーバに対して、移動分の上記第１の電子マネーを上記第１のメモリ部から削除し、移動分の上記第２の電子マネーを上記第２のメモリ部に追加し、上記電子チケットを上記第２のメモリ部から削除し、上記電子チケットを上記第１のメモリ部に追加するよう要求してもよい。【００３０】
このような構成によれば、電子チケットの移動と電子マネーの移動とにより、電子チケットの転売を行うことができる。【００３１】
本技術に係る情報処理方法は、通信部とリーダライタと電子バリューが記録される第１のメモリ部を備え、上記リーダライタを用いて、電子バリューが記録される第２のメモリ部を備える通信機器と近距離無線通信をする情報処理装置の情報処理方法であって、上記第２のメモリ部への上記第１のメモリ部に記録される電子バリューの移動を、上記通信部を介して中間サーバに要求し、上記リーダライタを起動し、上記リーダライタを用いて上記通信機器と近距離無線通信し、上記電子バリューの移動の要求を基に上記中間サーバにより上記管理サーバに対してなされた要求に基づいて、上記管理サーバからなされた指示により、移動分の上記電子バリューを上記第１のメモリ部から削除し、移動分の上記電子バリューを上記第２のメモリ部に追加させる指示を、上記リーダライタを介して上記通信機器に対して送信する。【００３２】
本技術に係る情報処理方法は、第２のメモリ部を備える通信機器と近距離無線通信を行うリーダライタと電子バリューが記録される第１のメモリ部とを備える情報処理装置と通信する管理サーバの情報処理方法であって、上記情報処理装置から上記第１のメモリ部に記録される上記電子バリューを上記第２のメモリ部に移動するという上記電子バリューの移動の要求を受けた中間サーバから送信された、上記第１のメモリ部から移動分の上記電子バリューを削除する削除要求を受信し、上記削除要求を基に、上記情報処理装置に対して、移動分の上記電子バリューを上記第１のメモリ部から削除するよう指示し、上記中間サーバから送信された、上記第２のメモリ部へ移動分の上記電子バリューを追加する追加要求を受信し、上記追加要求を基に、上記情報処理装置に対して、移動分の上記電子バリューを上記第２のメモリ部に追加するよう指示する。【００３３】
本技術の情報処理方法は、第２のメモリ部を備える通信機器と近距離無線通信を行うリーダライタと電子バリューが記録される第１のメモリ部とを備える情報処理装置と管理サーバと通信する中間サーバの情報処理方法であって、上記情報処理装置から、上記第１のメモリ部に記録される上記電子バリューを上記第２のメモリ部に移動するという上記電子バリューの移動の要求を受信し、上記管理サーバに対し、上記第１のメモリ部からの移動分の上記電子バリューの削除を要求し、上記管理サーバに対し、上記第２のメモリ部への移動分の上記電子バリューの追加を要求する。
【発明の効果】
【００３４】
以上のように、本技術によれば、個人間での電子バリューの移動を容易に行うことができる。
なお、ここに記載された効果は必ずしも限定されるものではなく、本開示中に記載されたいずれかの効果であってもよい。
【図面の簡単な説明】
【００３５】
【図１】第１実施形態における情報処理システムの一構成例を示す。
【図２】第１実施形態の情報処理システムを構成する第１の端末装置、第２実施形態の購入側端末装置、第３実施形態の提供側端末装置の機能構成例を示すブロック図である。
【図３】第１実施形態の情報処理システムを構成する第２の端末装置の機能構成例を示すブロック図である。
【図４】第１、第２及び第３実施形態の情報処理システムを構成するアプリサーバの機能構成例を示すブロック図である。
【図５】第１、第２及び第３実施形態の情報処理システムを構成するリモート発行サーバの機能構成例を示すブロック図である。
【図６】第１実施形態の情報処理システムの概要を説明する図である。
【図７】第１実施形態の情報処理システムの概要を説明する図である。
【図８】第１実施形態の情報処理システムを構成する各装置の動作例を示すシーケンス図である。
【図９】第２実施形態における情報処理システムの一構成例を示す。
【図１０】第２実施形態の情報処理システムを構成する転売側端末装置、第３実施形態における受取り側端末装置の機能構成例を示すブロック図である。
【図１１】第２実施形態の情報処理システムの概要を説明する図である。
【図１２】第２実施形態の情報処理システムの概要を説明する図である。
【図１３】第２実施形態の情報処理システムを構成する各装置の動作例を示すシーケンス図である。
【図１４】第３実施形態の情報処理システムの概要を説明する図である。
【図１５】第３実施形態の情報処理システムの概要を説明する図である。
【発明を実施するための形態】
【００３６】
以下、本技術に係る実施形態を、図面を参照しながら説明する。
本技術においては、例えば異なる情報処理装置同士をかざして電磁波を用いた近距離無線通信をすることにより、一方の情報処理装置が保有していた電子バリューを他方の情報処理装置に移動させることが可能となる。
【００３７】
（第１実施形態）
本実施形態においては、異なる情報処理装置としての携帯端末装置間で、電子バリューとしての電子マネーを移動する場合を例に挙げて説明する。ここでは、一方の携帯端末装置が保有する第１の電子バリューである第１の電子マネーを、種類の違う第２の電子バリューである第２の電子マネーに変換して、他方の携帯端末装置に電子マネーを移動させる。以下、図面を参照しながら説明する。
【００３８】
＜情報処理システムの構成＞
図１は本実施形態に係る情報処理システムの一構成例を示す。図２は、情報処理システム１００の一部を構成する第１の端末装置１０の機能構成例を示すブロック図である。図３は、情報処理システム１００の一部を構成する第２の端末装置２０の機能構成例を示すブロック図である。
【００３９】
図４は、情報処理システム１００の一部を構成するアプリサーバ４０の機能構成例を示すブロック図である。図５は、情報処理システム１００の一部を構成するリモート発行サーバ５０の機能構成例を示すブロック図である。
【００４０】
図１に示すように、情報処理システム１００は、中間サーバとしてのアプリサーバ４０と、管理サーバとしてのリモート発行サーバ５０と、情報処理装置としての第１の端末装置１０と、通信機器としての第２の端末装置２０と、通信網３０とを含んで構成される。
【００４１】
情報処理システム１００では、第１の端末装置１０が保有する電子バリューを記録する第１のメモリ部１７１３のデータ、第２の端末装置２０が保有する電子バリューを記録する第２のメモリ部２７１３のデータは、リモート発行サーバ５０からの実行指示に基づき、書き換えが可能に構成されている。
【００４２】
第１の端末装置１０と第２の端末装置２０とは、第１の端末装置１０に搭載されるリーダライタ（Ｒ／Ｗ）１７０を用いて近距離無線通信が可能に構成されている。情報処理システム１００では、第１の端末装置１０がリモート発行サーバ５０に対して電子バリューの移動を要求することにより、リモート発行サーバ５０からリーダライタ１７０の起動が指示される。
【００４３】
リーダライタ１７０が起動することにより、リモート発行サーバ５０からの指示に基づいて、第１の端末装置１０は、近距離無線通信を用いて、第２の端末装置２０の第２のメモリ部２７１３を書き換えることができる。
【００４４】
［通信網の構成］
通信網３０は、通信網３０に接続されている第１の端末装置１０、アプリサーバ４０、リモート発行サーバ５０等から送信される情報の無線、または有線の伝送路である。例えば、通信網３０は、インターネット、電話回線網、衛星通信網などの公衆回線網などを含んでもよい。
【００４５】
［第１の端末装置の構成］
図２は、情報処理装置としての第１の携帯端末装置（以下、単に第１の端末装置と称す。）１０の機能構成例を示すブロック図である。
【００４６】
第１の端末装置１０は、通信網３０に接続可能な端末である。第１の端末装置１０は、例えばスマートフォン等の携帯電話、タブレット端末などであってもよく、典型的にはスマートフォンである。本実施形態では、タッチパネル操作が可能なスマートフォンを例にあげて説明する。
【００４７】
図２に示すように、第１の端末装置１０は、通信部１２１と、表示部１２２と、入力部１２４と、プログラム記憶部１２８と、第１の制御部１２６と、リーダライタ（Ｒ／Ｗ）１７０と、第１のＩＣ（Integrated Circuit）チップ１７１と、第１の通信アンテナ１７２とを備える。
【００４８】
通信部１２１は、例えば無線ネットワークを介した他の装置、例えばアプリサーバ４０、リモート発行サーバ５０との通信を行う。
【００４９】
表示部１２２は、通信部１２１が受信した情報や、入力部１２４に対して行われたユーザの操作に応じた情報等を表示する。表示部１２２は、例えば、液晶ディスプレイ、有機ＥＬディスプレイ等の画像表示パネルで構成される。また、表示部１２２にタッチパネルが設けられていても良い。
【００５０】
入力部１２４は、キー、ボタン、タッチパネル及びマイクロホンなどよりなる。
プログラム記憶部１２８は、第１の端末装置１０と第２の端末装置２０との間での電子マネーの移動サービスを実行するための電子マネー移動アプリケーションプログラム１２８１を記憶する。このアプリケーションプログラム１２８１は、リモート発行サーバ５０による遠隔操作が可能なＩＣチップ（本実施形態では、第１の端末装置１０の第１のＩＣチップ１７１。）が搭載される端末装置対応のアプリケーションプログラムである。
【００５１】
アプリケーションプログラム（単に、アプリケーションともいう）１２８１は、電子バリューの移動に関するユーザインターフェースを表示部１２２に表示させる。表示部１２２に表示されたユーザインターフェースを用いて、ユーザによって、アプリケーションの起動、電子バリューの移動情報の入力操作及び電子バリューの移動の実行が行われる。
【００５２】
第１の制御部１２６は、第１の端末装置１０の動作を制御する。第１の制御部１２６は、プログラム記憶部１２８に格納されたアプリケーションプログラム１２８１を実行することで、アプリケーションプログラムの操作に基づき第１の端末装置１０の動作を制御する。
【００５３】
アプリケーションプログラム１２８１の実行による第１の制御部１２６による第１の端末装置１０の動作の制御としては、アプリサーバ４０への電子マネーの移動要求、リモート発行サーバ５０からのリーダライタ起動指示に基づくリーダライタ１７０の起動、アプリサーバ４０への電子マネーの移動実行の要求、リモート発行サーバ５０からの減算処理指示に基づく電子マネーの減算処理と第１のメモリ部の書き換え、リモート発行サーバ５０からの指示に基づく電子マネーの加算処理と第２のメモリ部の書き換えの指示の第２の端末装置２０への送信の実行などがある。
【００５４】
リーダライタ１７０が搭載されることにより、第１の端末装置１０はリーダライタの機能を備える。また、第１の通信アンテナ１７２と第１のＩＣチップ１７１により、第１の端末装置１０は非接触ＩＣカード機能を備える。
【００５５】
第１の端末装置１０は、リーダライタ機能を用いて、外部の非接触ＩＣカードに記憶されているデータの書き換えなどを行うことができる。また、非接触ＩＣカード機能により、第１の端末装置１０から外部のリーダライタに所定のデータを読み取らせることができる。
【００５６】
リーダライタ１７０は、第２の端末装置２０に対し電磁波を供給可能に構成される。リーダライタ１７０は所定の電磁波を発し、後述する第２の端末装置２０の第２の通信アンテナ２７２がこの電磁波に反応して起電力を発し、その起電力を電源として第２のＩＣチップ２７１が作動する。
【００５７】
これにより、第１の端末装置１０と第２の端末装置２０は近距離無線通信が可能となり、第１の端末装置１０は、第２の端末装置２０の第２のメモリ部２７１３のデータの書き換えを行うことができる。
【００５８】
リーダライタ１７０は、リーダライタ（Ｒ／Ｗ）用アンテナ１７０１と、リーダライタ送信回路１７０２と、リーダライタ受信回路１７０３を備える。
【００５９】
リーダライタ送信回路１７０２は、外部の非接触ＩＣカード（例えば第２の端末装置２０の第２の通信アンテナ２７２と第２のＩＣチップ２７１から構成される非接触ＩＣカード）に送信するデータに応じて、所定の周波数の送信キャリア信号を変調して、変調した信号を、リーダライタ用アンテナ１７０１を介して、外部の非接触ＩＣカードに送信する。
【００６０】
リーダライタ受信回路１７０３は、外部の非接触ＩＣカードから送信された応答信号を受信して、そのデータを復調して受信データを取得する。
【００６１】
第１の通信アンテナ１７２は、図示しない外部の無線リーダライタから送信された電磁波を受信する。電磁波を受信した第１の通信アンテナ１７２は起電力を発し、この起電力を電源として第１のＩＣチップ１７１が作動する。
【００６２】
第１のＩＣチップ１７１には、自らを識別する個体識別番号１７１１が付与されている。個体識別番号１７１１は、ＩＣチップ製造時にＩＣチップに記録され書き換えができない固有のＩＤ番号である。第１のＩＣチップ１７１は、第１の通信アンテナ１７２が発する起電力以外に、第１の端末装置１０が有する電源により作動可能に構成される。
【００６３】
第１のＩＣチップ１７１は、第１のＩＣ制御部１７１２と、第１のメモリ部１７１３と、第１の認証部１７１４と、第１の暗号処理部１７１５を備えている。
【００６４】
第１のメモリ部１７１３は、フリー領域と共通領域に分割されている。共通領域は、リモート発行サーバ５０を運営、管理する事業者が管理する領域である。
【００６５】
第１のメモリ部１７１３の共通領域は更にエリアと呼ばれる領域に複数分割され、サービス毎にエリアが割り当てられている。
【００６６】
第１のメモリ部１７１３の共通領域には、第１の端末装置１０が保有する電子バリューのデータが記憶される。電子バリューのデータとは、貨幣価値など所定の価値を有する情報であって、例えば電子マネー、ポイント情報、クーポン情報（又は、クーポン残高情報）等のセキュアなデータである。本実施形態では電子バリューとして電子マネーを例にあげて説明する。
【００６７】
本実施形態では、第１の端末装置１０は、例えば電子マネーＡ、電子マネーＢ、電子マネーＣ、電子マネーＤの４種類の電子マネーを保有可能に構成される。第１のメモリ部１７１３は、これら複数の電子マネーサービスや、電子マネー移動サービスに係るデータが記録可能に構成される。第１のメモリ部１７１３内のデータは、リモート発行サーバ５０からの指示に基づいて第１のＩＣ制御部１７１２によって、読み書きされ得る。
【００６８】
第１の認証部１７１４は、第１の端末装置１０と第２の端末装置２０との間の相互認証時に、第１の端末装置１０が生成した乱数が、第２の端末装置２０へ送られ、更に第１の端末装置１０に送られた乱数と一致するかを認証する。
【００６９】
第１の暗号処理部１７１５は、予め用意されている鍵（認証用として用いられる鍵（認証用鍵））により乱数を暗号化する。
【００７０】
［第２の端末装置の構成］
図３は、通信機器としての第２の携帯端末装置（以下、単に第２の端末装置と称す。）の機能構成例を示すブロック図である。
【００７１】
通信機器としての第２の端末装置２０は、第１の端末装置１０と電磁波を用いた近距離無線通信可能な端末である。第２の端末装置２０は、例えばスマートフォン等の携帯電話、タブレット端末などであってもよく、また、電子マネーを保有可能な電子マネーカードであってもよい。
【００７２】
通信機器は、少なくとも第１の端末装置１０のリーダライタ１７０を用いて第１の端末装置１０と近距離無線通信可能で、電子マネーを保有可能に構成されていればよい。第２の端末装置２０は典型的にはスマートフォンであり、本実施形態では、タッチパネル操作が可能なスマートフォンを例にあげて説明する。
【００７３】
第２の端末装置２０は、図３に示すように、通信部２２１と、表示部２２２と、入力部２２４と、第２の制御部２２６と、第２のＩＣチップ２７１と、近距離無線通信部としての第２の通信アンテナ２７２とを有する。
【００７４】
通信部２２１は、例えば無線ネットワークを介した他の装置との通信を行う。
入力部２２４は、キー、ボタン、タッチパネル及びマイクロホンなどよりなる。
【００７５】
表示部２２２は、通信部２２１が受信した情報や、入力部２２４に対して行われたユーザの操作に応じた情報等を表示する。表示部２２２は、例えば、液晶ディスプレイ、有機ＥＬディスプレイ等の画像表示パネルで構成される。また、表示部２２２にタッチパネルが設けられていても良い。
【００７６】
第２の制御部２２６は、第２の端末装置２０の動作を制御する。
【００７７】
第２の通信アンテナ２７２は、第１の端末装置１０と電磁波を用いた非接触の近距離無線通信を行う。リーダライタ１７０から発せられる電磁波に、第２の通信アンテナ２７２が反応して起電力が発し、その起電力を電源として第２のＩＣチップ２７１が作動する。
【００７８】
第２のＩＣチップ２７１には、自らを識別する個体識別番号２７１１が付与されている。第２のＩＣチップ２７１は、第２のＩＣ制御部２７１２と、第２のメモリ部２７１３と、第２の認証部２７１４と、第２の暗号処理部２７１５を備えている。
【００７９】
第２のメモリ部２７１３は、フリー領域と共通領域に分割されている。共通領域は、リモート発行サーバ５０を運営、管理する事業者が管理する領域である。
【００８０】
第２のメモリ部２７１３の共通領域は更にエリアと呼ばれる領域に複数分割され、サービス毎にエリアが割り当てられている。
【００８１】
第２のメモリ部２７１３の共通領域には、第１のメモリ部１７１３と同様に、第２の端末装置２０が保有する電子バリューのデータが記憶される。本実施形態では、第２の端末装置２０は、例えば電子マネーＡ、電子マネーＣの２種類の電子マネーを保有可能に構成される。
【００８２】
第２のメモリ部２７１３は、これら複数の電子マネーサービスや、電子マネー移動サービスに係るデータが記録可能に構成される。第２のメモリ部２７１３内のデータは、リモート発行サーバ５０からの指示に基づいて第２のＩＣ制御部２７１２によって読み書きされ得る。リモート発行サーバ５０からの指示は、第１の端末装置１０のリーダライタ１７０を介して第２の端末装置２０に送信される。
【００８３】
第２の認証部２７１４は、第１の端末装置１０と第２の端末装置２０との間の相互認証時に、第２の端末装置２０が生成した乱数が、第１の端末装置１０へ送られ、更に第２の端末装置２０に送られた乱数と一致するかを認証する。
【００８４】
第２の暗号処理部２７１５は、予め用意されている鍵（認証用として用いられる鍵（認証用鍵））により乱数を暗号化する。
【００８５】
第１の端末装置１０は、電子マネー移動アプリケーションプログラム１２８１の実行によるリーダライタ１７０の起動により第２の端末装置２０と近距離無線通信し、第２の端末装置２０の第２のメモリ部２７１３のデータの書き換えの指示が可能となる。
【００８６】
この第１の端末装置１０による第２のメモリ部２７１３のデータの書き換えが可能となるようにするには、第１の端末装置１０による第２の端末装置２０へのアクセス認証が必要となる。
【００８７】
更に、このアクセスが認証されると、第１の端末装置１０と第２の端末装置２０間の相互認証が行われる。アクセス認証及び相互認証が正常に行われると、第１の端末装置１０のリーダライタ１７０を利用した第１の端末装置１０と第２の端末装置２０との間の電子マネーの移動が可能な状態となる。以下にアクセス認証及び相互認証について説明する。
【００８８】
まず、アクセス認証について説明する。図５は、情報処理システムの概要を説明する図である。
【００８９】
第１の端末装置１０は、リーダライタ１７０の起動により、リーダライタ１７０を介して、第２の端末装置２０の第２のＩＣチップ２７１の個体識別番号２７１１を取得する。第１の端末装置１０の第１の制御部１２６は、第２の個体識別番号２７１１を第１のＩＣチップ１７１の第１の個体識別番号１７１１と供に、アプリサーバ４０に送信する。
【００９０】
アプリサーバ４０は、第１の個体識別番号１７１１と第２の個体識別番号２７１１を基に、第１の端末装置１０と第２の端末装置２０がリモート発行サーバ５０の正規のユーザであるかの確認をリモート発行サーバ５０に要求する。
【００９１】
リモート発行サーバ５０は、データベース（ＤＢ）５４を参照しながら、データベース５４に第１の個体識別番号１７１１と第２の個体識別番号２７１１が存在するかを確認する。データベース５４にそれぞれの個体認識番号が存在すると、リモート発行サーバ５０は、第１の端末装置１０と第２の端末装置２０とが正規のユーザであると判定する。
【００９２】
リモート発行サーバ５０からアプリサーバ４０に対して正規のユーザであるとの確認結果が送信され、アプリサーバ４０から第１の端末装置１０に対して第１の端末装置１０の第２の端末装置２０へのアクセスが認証されたことが通知される。
【００９３】
次に、相互認証について説明する。
アクセス認証が終了すると、第１の端末装置１０と第２の端末装置２０との相互認証が行われる。相互認証の流れについて以下に説明する。
【００９４】
第１のＩＣチップ１７１と第２のＩＣチップ２７１には、同じ鍵があらかじめ用意されている。第１のＩＣチップ１７１は、第２のＩＣチップ２７１により暗号化された情報を復号可能な鍵を有している。第２のＩＣチップ２７１は、第１のＩＣチップ１７１により暗号化された情報を復号可能な鍵を有している。
【００９５】
上述のアクセスの認証が通知されると、第１の制御部１２６は、リーダライタ１７０に対して、電子マネーデータの移動元となる第１のＩＣチップ１７１と電子マネーデータの移動先となる第２のＩＣチップ２７１との間で相互認証を行うよう要求する。
【００９６】
この要求に応じて、第１のＩＣチップ１７１においては、所定の乱数（乱数Ａ）が生成され、生成された乱数Ａが、第１の暗号処理部１７１５により予め用意されている鍵（認証用としても用いられる鍵（認証用鍵））により暗号化されて、リーダライタ１７０に送信される。リーダライタ１７０は、暗号化された乱数Ａを第２のＩＣチップ２７１に送信する。
【００９７】
第２のＩＣチップ２７１では、あらかじめ用意されている認証用鍵による復号が行われ、第１のＩＣチップ１７１により生成された乱数Ａが取得される。取得された乱数Ａは第２のＩＣチップ２７１において記憶される。
【００９８】
また、第２のＩＣチップ２７１においても、所定の乱数（乱数Ｂ）が生成され、ここで生成された乱数Ｂと、復号して取得された乱数Ａが、第２の暗号処理部２７１５にて認証用鍵により暗号化されて、リーダライタ１７０に送信される。リーダライタ１７０は、暗号化された乱数Ａと乱数Ｂを第１のＩＣチップ１７１に送信する。
【００９９】
第２のＩＣチップ２７１から送信されてきたデータを受信した第１のＩＣチップ１７１においては、認証用鍵による復号が行われ、第２のＩＣチップ２７１により生成された乱数Ｂと、第２のＩＣチップ２７１により暗号化された乱数Ａが取得される。
【０１００】
取得された乱数Ａが、第１のＩＣチップ１７１自身が生成した乱数Ａと同じであることが第１の認証部１７１４によって確認された場合、復号することによって得られた乱数Ｂは第１のＩＣチップ１７１において記憶される。
【０１０１】
また、このとき、第１のＩＣチップ１７１においては、乱数Ｂが第１の暗号処理部１７１５により認証用鍵により暗号化されてリーダライタ１７０に送信される。リーダライタ１７０は、暗号化された乱数Ｂを第２のＩＣチップ２７１に送信する。
【０１０２】
第２のＩＣチップ２７１においては、認証用鍵による復号が行われ、第１のＩＣチップ１７１により暗号化された乱数Ｂが取得される。その取得された乱数Ｂが、第２のＩＣチップ２７１自身が生成した乱数Ｂと同じであることが第２の認証部２７１４に確認された場合、相互認証が正常に行われたと判断され、一連の相互認証処理が終了される。
【０１０３】
［アプリサーバの構成］
中間サーバとしてのアプリサーバ４０は、ある種類の電子マネーをそれとは異なる電子マネーに交換して異なる端末装置間で移動可能とする電子マネー移動サービスを提供する事業者が運営するサーバである。この電子マネー移動サービス事業者は、リモート発行サーバ５０を運営、管理する事業者に利用申し込みを行うことにより、電子マネー移動サー
スを提供できる。
【０１０４】
アプリサーバ４０は、必要に応じて、リモート発行サーバ５０との間、第１の端末装置１０との間で情報の授受を行う。
【０１０５】
図４は、アプリサーバ４０の機能構成例を示すブロック図である。
図４に示すように、アプリサーバ４０は、通信部４１と、情報取得部４２と、処理実行部４３とを含んで構成される。
【０１０６】
通信部４１は、第１の端末装置１０やリモート発行サーバ５０との間の通信を実行し、情報の送受信を行う。
【０１０７】
情報取得部４２は、通信部４１が第１の端末装置１０との通信により取得した情報を取得する。情報取得部４２が取得した情報は、処理実行部４３に提供される。
【０１０８】
処理実行部４３は、情報取得部４２が取得した情報に基づいた各種処理を実行する。例えば、第１の端末装置１０からの電子マネーの移動の要求を受信すると、処理実行部４３は、リモート発行サーバ５０に対してリーダライタ１７０の起動を要求する。
【０１０９】
第１の端末装置１０から電子マネーの移動の実行の要求を受信すると、処理実行部４３は、リモート発行サーバ５０に対して、第１の端末装置１０の第１のメモリ部１７１３から移動分の第１の電子マネーを削除する要求をする。
【０１１０】
更に、第１の端末装置１０から電子マネーの移動の実行の要求を受信すると、処理実行部４３は、リモート発行サーバ５０に対して、第２の端末装置２０の第２のメモリ部２７１３へ移動分の第２の電子マネーを追加する要求をする。
【０１１１】
［リモート発行サーバの構成］
管理サーバとしてのリモート発行サーバ５０は、第１の端末装置１０から送信される情報に基づいてアプリサーバ４０からなされる指示に基づいた処理を実行する。
【０１１２】
第１のＩＣチップ１７１及び第２のＩＣチップ２７１を利用した電子マネーサービスは、各ＩＣチップ１７１及び２７１の共通領域を利用して提供され、この共通領域の運営、管理はリモート発行サーバ５０により行われる。
【０１１３】
リモート発行サーバ５０は、ＩＣチップ内の共通領域を利用する、例えば電子マネーＡ、電子マネーＢ、電子マネーＣ、電子マネーＤそれぞれの電子マネーサービス事業者のデータが重複しないように管理を行っている。例えば、共通領域内のメモリ部をエリアに分割して各サービス事業者に割当てを行う。
【０１１４】
図５は、リモート発行サーバ５０の機能構成例を示すブロック図である。
図５に示すように、リモート発行サーバ５０は、通信部５１と、情報取得部５２と、処理実行部５３とを含んで構成される。
【０１１５】
通信部５１は、第１の端末装置１０やアプリサーバ４０との間の通信を実行し、情報の送受信を行う。
【０１１６】
情報取得部５２は、通信部５１がアプリサーバ４０との通信により取得した情報を取得する。情報取得部５２が取得した情報は、処理実行部５３に提供される。
【０１１７】
処理実行部５３は、情報取得部５２が取得した情報に基づいた各種処理を実行する。処理実行部５３が実行する各種処理は、第１の端末装置１０で入力された電子マネー移動情報に基づいて行われる。
【０１１８】
例えば、アプリサーバ４０からリーダライタ１７０の起動要求を受信すると、処理実行部５３は、第１の端末装置１０に対してリーダライタ１７０の起動を指示する。
【０１１９】
アプリサーバ４０から、第１の端末装置１０の第１のメモリ部１７１３から移動分の第１の電子マネーを削除する要求を受信すると、処理実行部５３は、第１の端末装置１０に対して、第１のメモリ部１７１３から移動分の第１の電子マネーを削除する指示を送信する。
【０１２０】
更に、アプリサーバ４０から、第２の端末装置２０の第２のメモリ部２７１３へ移動分の第２の電子マネーを追加する要求を受信すると、処理実行部５３は、第１の端末装置１０に対して、第２のメモリ部２７１３へ移動分の第２の電子マネーを追加する指示を送信する。
【０１２１】
＜情報処理システムの動作説明＞
次に、図６〜図８を用いて上述の情報処理システム１００の動作説明をする。ここでは、第１の端末装置１０が保有する第１の電子マネーとしての電子マネーＢを、第１の電子マネーとは種類の違う第２の電子マネーとしての電子マネーＣに変換して第２の端末装置２０に移動する例をあげる。
【０１２２】
図６及び図７は、情報処理システムの概要を説明する図である。図８は、情報処理システム１００を構成する各装置の動作例を示すシーケンス図である。以下、図８に従って説明する。
【０１２３】
まず、第１の端末装置１０に電子マネー移動アプリケーションプログラム１２８１がユーザによりダウンロードされることにより、電子マネー移動サービスの実行が可能となる。
【０１２４】
電子マネー移動アプリケーションプログラム１２８１が実行されることにより、例えば図６（Ａ）や図７（Ａ）に示すように、第１の端末装置１０の表示部１２２に電子マネー移動情報を入力する画面が表示される。
【０１２５】
表示部１２２には、移動元である第１の端末装置１０が保有する電子マネーのうちどの電子マネーを移動するかを選択するチェック欄と、移動先である第２の端末装置２０へどの種類の電子マネーに変換して移動させるかを選択するチェック欄と、移動金額入力欄と、移動実行ボタンが表示される。図７（Ａ）に図示する例ではメモ欄が更に表示される。
【０１２６】
第１の端末装置１０のユーザにより、第１の端末装置１０が保有する電子マネーのうち移動に用いる電子マネーの種類が選択されチェックされる。例えば、図６（Ａ）や図７（Ａ）では、移動元の電子マネーとして、電子マネーＢが選択されチェックされる。
【０１２７】
次に、移動する電子マネーをどの種類の電子マネーに変換して第２の端末装置２０へ移動させるかが選択されチェックされる。例えば、図６（Ａ）、図７（Ａ）では、移動先の電子マネーとして電子マネーＣが選択されチェックされる。
【０１２８】
更に、ユーザにより、移動金額入力欄に移動金額、例えば１０００円が入力され、メモ欄にメモ、例えば移動の目的等が任意に入力され、移動実行ボタンがタップされる。これにより、第１の制御部１２６は、通信部１２１に、移動情報と電子マネーの移動の要求を、アプリサーバ４０へ送信させる（Ｓ１０１）。
【０１２９】
アプリサーバ４０は、第１の端末装置１０から送信された電子マネー移動要求を受信すると（Ｓ１０２）、リモート発行サーバ５０に対し、リーダライタ１７０の起動要求を送信する（Ｓ１０３）。
【０１３０】
リモート発行サーバ５０は、アプリサーバ４０から送信されたリーダライタ１７０の起動要求を受信すると（Ｓ１０４）、第１の端末装置１０に対し、リーダライタ１７０の起動指示を送信する（Ｓ１０５）。
【０１３１】
第１の端末装置１０の通信部１２１がリーダライタ１７０の起動の指示を受信すると（Ｓ１０６）、第１の制御部１２６は、リーダライタ１７０を起動する（Ｓ１０７）。リーダライタ１７０が起動すると、表示部１２２には、第１の端末装置１０と第２の端末装置２０とを近づけるよう指示が表示される。
【０１３２】
リーダライタ１７０が起動し、第１の端末装置１０と第２の端末装置２０とが近接することにより、第１の端末装置１０と第２の端末装置２０との電磁波による非接触の近距離無線通信が成立する。
【０１３３】
近距離無線通信が成立すると、上述したアクセス認証及び相互認証が行われる。アクセス認証及び相互認証が正常に行われると、第１の端末装置１０のリーダライタ１７０を利用した電子マネーの移動が可能な状態となる。
【０１３４】
アクセス認証及び相互認証が正常に行われると、第１のＩＣ制御部１７１２は、リーダライタ１７０に、第１の端末装置１０のユーザにより入力された移動先の電子マネーの種類が、第２の端末装置２０が保有可能な電子マネーであるかを確認する確認要求を第２の端末装置２０へ送信させる（Ｓ１０８）。
【０１３５】
第２の端末装置２０により電子マネーの種類の確認要求が受信されると（Ｓ１０９）、第２のＩＣ制御部２７１２は、ユーザが入力した移動先である第２の端末装置２０が受け取り可能な電子マネーの種類（本実施形態においては、電子マネーＣ）であるかを確認する。
【０１３６】
第２のＩＣ制御部２７１２は、保有可能な種類の電子マネーであると確認すると、ユーザが入力した種類の電子マネーがあるとの通知を第１の端末装置１０へ送信する（Ｓ１１０）。このように、リーダライタ機能を用いて、第１の端末装置１０により電子マネーの確認が行われる。
【０１３７】
尚、ここで、第２の端末装置２０が、ユーザが入力した電子マネーの種類を第２の端末装置２０が保有可能でない場合は、その旨が第１の端末装置１０に対して通知される。また、この通知とあわせて、第２の端末装置２０が保有可能な電子マネーの種類情報が第１の端末装置１０に対して送信される。
【０１３８】
第１の端末装置１０では、この通知を受け、第２の端末装置２０が保有可能な電子マネーの種類情報の通知画面が表示され、更に、図７（Ａ）に示す入力画面が改めて表示される。
【０１３９】
第１の端末装置１０は、ユーザが入力した電子マネーの種類が第２の端末装置２０により保有可能であるとの確認結果を受信すると（Ｓ１１１）、ユーザによって入力された電子マネー移動情報を基に、電子マネーの移動の実行要求をアプリサーバ４０に対して送信する（Ｓ１１２）。
【０１４０】
本実施形態では、電子マネーの移動は、第１のメモリ部１７１３に記録される電子マネーＢを電子マネーＣに変換して第２のメモリ部２７１３に移動することである。
【０１４１】
アプリサーバ４０は、電子マネー移動実行要求を受信すると（Ｓ１１３）、リモート発行サーバ５０に対して、第１の端末装置１０が保有する電子マネーＢから移動分の金額を削除、言い換えると減算する要求を送信する（Ｓ１１４）。
【０１４２】
リモート発行サーバ５０は、減算要求を受信し（Ｓ１１５）、第１の端末装置１０に対して、第１のメモリ部１７１３から移動分の金額を減算する減算処理の実行の指示を送信する（Ｓ１１６）。尚、本実施形態では、電子バリューが電子マネーであるので、電子バリューの削除処理を減算処理と称し、電子バリューの追加処理を加算処理と称す。
【０１４３】
第１の端末装置１０においては、減算処理の実行の指示を受信すると（Ｓ１１７）、第１の制御部１２６は、第１のＩＣ制御部１７１２に、保有する電子マネーＢから移動分である１０００円分の金額を減算する減算処理をさせて（Ｓ１１８）、第１のメモリ部１７１３に記憶される電子マネーＢのデータを書き換えさせる。
【０１４４】
このように、リモート発行サーバ５０により、第１の端末装置１０の第１のＩＣチップ１７１は遠隔操作される（リモート機能）。
【０１４５】
減算処理が終了すると、第１の端末装置１０は減算処理が完了した報告をアプリサーバ４０に送信する（Ｓ１１９）。アプリサーバ４０は、完了報告を受信する（Ｓ１２０）。
【０１４６】
次に、アプリサーバ４０は、リモート発行サーバ５０に対して、第２の端末装置２０が保有する電子マネーＣに移動分である１０００円分の金額を追加、言い換えると加算する要求を送信する（Ｓ１２１）。
【０１４７】
リモート発行サーバ５０は、加算要求を受信し（Ｓ１２２）、第１の端末装置１０に対して、第２のメモリ部２７１３へ移動分の金額を加算する加算処理の実行を指示する（Ｓ１２３）。第１の端末装置１０の第１の制御部１２６は、リモート発行サーバ５０からの指示を基に、リーダライタ１７０に、第２の端末装置２０に対して加算処理の実行の指示を送信させる。
【０１４８】
第２の端末装置２０においては、加算処理の実行の指示を受信すると（Ｓ１２４）、第２のＩＣ制御部２７１２は、保有する電子マネーＣに移動分１０００円分の金額を加算する加算処理をし（Ｓ１２５）、第２のメモリ部２７１３に記憶される電子マネーＣのデータを書き換える。
【０１４９】
このように、リモート発行サーバ５０により、第１の端末装置１０のリーダライタ１７０を介して、第２の端末装置２０の第２のＩＣチップ２７１は遠隔操作される（リーダライタ機能、リモート機能。）。
【０１５０】
加算処理が終了すると、第２の端末装置２０は加算処理が完了した報告を、第１の端末装置１０のリーダライタ１７０を介して、アプリサーバ４０に送信する（Ｓ１２６）。アプリサーバ４０は、完了報告を受信する（Ｓ１２７）。以上により、第１の端末装置１０が保有していた電子マネーは、種類が変換されて、第２の端末装置２０へ移動する。
【０１５１】
移動が完了すると、例えば「チャリーン」という電子音の後に、「移動が完了しました」という音声が第１の端末装置１０から発せられる。また、移動が完了すると、第１の端末装置１０の表示部１２２には、例えば図６（Ｂ）に示すような、移動内容が表示される。
【０１５２】
また、図７（Ａ）において、移動履歴というボタンがタップされると、図７（Ｂ）に示されるように、移動履歴として、日付、移動内容、メモが表示される。
【０１５３】
以上のように、本実施形態においては、電子バリューの移動元と移動先である第１の端末装置と第２の端末装置とをかざして近距離無線通信をすることにより、個人間での電子バリューの移動を容易に行うことができる。
【０１５４】
本実施形態では、電子バリューの移動元となる第１の端末装置（情報処理装置）と移動先となる第２の端末装置（通信機器）が同じ場に存在しないと電子バリューの移動が行えないため、物理的な制限が生じる。
【０１５５】
したがって、第１の端末装置のユーザと第２の端末装置のユーザとが同じ場に存在することとなり、電子バリューの移動元となる第１の端末装置のユーザと移動先となる第２の端末装置のユーザとが、合意した上で電子バリューの交換が行われることになる。これにより、現金や現物での直接の受け渡しと同じような感覚で、電子バリューの受け渡しを行うことができる。
【０１５６】
本実施形態においては、電子バリューを受けとる第２の端末装置はアプリをダウンロードする必要がなく、第１の端末装置のリーダライタを用いて近距離無線通信を行うだけで、電子バリューを受け取ることができる。
【０１５７】
また、電子バリューの移動元と移動先である第１の端末装置と第２の端末装置が同じ場に存在するので第１の端末装置からみて電子バリューの移動先が明確に特定され、第２の端末装置２０が、直接アプリサーバ４０及びリモート発行サーバ５０とアクセスする必要がない。
【０１５８】
第２の端末装置は、個人情報や口座情報等の情報の入力なしに電子バリューの受け取りが可能であるので、情報入力の手間が省け、容易に電子バリューの移動が可能となる。
【０１５９】
また、本実施形態では、移動元及び移動先それぞれが保有可能な電子バリューの種類に係らず、種類の異なる電子バリューに変換しての移動が可能であるので、利便性が良い。
【０１６０】
本実施形態においては、電子バリューとして電子マネーを例にあげて説明したが、これに限定されず電子チケットやクーポン等の電子バリューにも適用することができる。以下に、第２実施形態として、電子バリューとしてチケットを移動する例をあげ、電子チケットと電子マネーの交換を行う場合について説明する。
【０１６１】
（第２実施形態）
＜情報処理システムの構成＞
図９は本実施形態に係る情報処理システムの一構成例を示す。図１０は、図９に示す情報処理システムの一部を構成する購入側端末装置の機能構成例を示すブロック図である。
【０１６２】
図９に示すように、情報処理システム１１００は、中間サーバとしてのアプリサーバ１０４０と、管理サーバとしてのリモート発行サーバ１０５０と、情報処理装置としての購入側端末装置１０１０と、通信機器としての転売側端末装置１０２０と、通信網３０とを含んで構成される。第１実施形態と同様の構成については同様の符号を付し、異なる点を中心に説明する。
【０１６３】
情報処理システム１００では、購入側端末装置１０１０と転売側端末装置１０２０とが電磁波を用いて近距離無線通信することにより、購入側端末装置１０１０と転売側端末装置１０２０との間で電子バリューとしての電子マネーと電子チケットがそれぞれ移動し、結果的に電子マネーと電子チケットの交換が可能となるように構成される。
【０１６４】
購入側端末装置１０１０及び転売側端末装置１０２０は、通信網３０に接続可能な端末である。購入側端末装置１０１０及び転売側端末装置１０２０は、例えばスマートフォン等の携帯電話、タブレット端末などであってもよく、典型的にはスマートフォンである。本実施形態では、タッチパネル操作が可能なスマートフォンを例にあげて説明する。
【０１６５】
購入側端末装置１０１０は、転売側端末装置１０２０が保有している電子チケットを購入する側である。転売側端末装置１０２０は、購入側端末装置１０１０に対して、自身が保有する電子チケットを売る側である。
【０１６６】
転売側端末装置１０２０のユーザは、電子チケット販売事業者ではなく、電子チケット販売事業者から例えばコンサートの電子チケットを購入し、後にコンサートに行けなくなったため、購入側端末装置１０１０のユーザに電子チケットを転売する者である。
【０１６７】
転売側端末装置１０２０のユーザと購入側端末装置１０１０のユーザとは、電子マネー及び電子チケット移動サービスアプリケーションを利用することにより、個人間で電子チケットの売買が行える。
【０１６８】
図２は購入側端末装置１０１０の機能構成例を示すブロック図である。購入側端末装置１０１０は、図２に示すように、上述の第１の端末装置１０とほぼ同様の構成を備える。
【０１６９】
購入側端末装置１０１０においては、プログラム記憶部１２８に記憶されるアプリケーションプログラムが、電子マネー及び電子チケット移動サービスアプリケーションプログラム１２８５である。
【０１７０】
このアプリケーションプログラム１２８５は、リモート発行サーバ１０５０による遠隔操作が可能なＩＣチップが搭載される端末装置対応のアプリケーションプログラムである。このアプリケーションプログラム１２８５は、電子チケット販売業者が提供するものであり、このアプリケーションを用いて、電子チケットの購入、電子チケットの移動、電子マネーの移動のサービスを受けることができる。
【０１７１】
購入側端末装置１０１０の第１の制御部１２６は、購入側端末装置１０１０の動作を制御する。第１の制御部１２６は、プログラム記憶部１２８に格納されたアプリケーションプログラム１２８５を実行することで、購入側端末装置１０１０の動作を制御する。
【０１７２】
アプリケーションプログラム１２８５の実行による第１の制御部１２６による購入側端末装置１０１０の動作の制御としては、アプリサーバ１０４０への電子マネー及び電子チケットの移動要求、リモート発行サーバ１０５０からのリーダライタ起動指示に基づくリーダライタ１７０の起動、電子マネー及び電子チケットの移動実行の要求、リモート発行サーバ１０５０からの指示に基づく電子チケットの書込みと電子マネーの減算処理による第１のメモリ部１７１３の書き換え、リモート発行サーバ１０５０からの指示に基づく電子チケットの消去と電子マネーの加算処理による転売側端末装置１０２０の第２のメモリ部２７１３の書き換えの指示の転売側端末装置１０２０への送信の実行などがある。
【０１７３】
購入側端末装置１０１０は、例えば電子マネーＡ、電子マネーＢ、電子マネーＣと電子マネーＤの４種類の電子マネー、電子チケットを保有可能に構成される。購入側端末装置１０１０の第１のメモリ部１７１３には、これら複数の電子マネーサービスや、電子マネー及び電子チケット移動サービスに係るデータが記録可能に構成される。
【０１７４】
図１０は転売側端末装置１０２０の機能構成例を示すブロック図である。転売側端末装置１０２０は、上述の第１の端末装置１０とほぼ同様の構成を備え、上述の第２の端末装置２０の構成にリーダライタ２７０とプログラム記憶部２２８が追加された構成となっている。第２の端末装置２０と同じ構成については同様の符号を付す。
【０１７５】
転売側端末装置１０２０のプログラム記憶部２２８には、購入側端末装置１０１０と同様の電子マネー及び電子チケット移動サービスアプリケーションプログラム１２８５が記憶されている。
【０１７６】
リーダライタ２７０は、リーダライタ（Ｒ／Ｗ）用アンテナ２７０１と、リーダライタ送信回路２７０２と、リーダライタ受信回路２７０３を備え、各構成は上述の第１の端末装置１０のリーダライタ１７０と同様の機能を備える。
【０１７７】
転売側端末装置１０２０は、例えば電子マネーＡ、電子マネーＣの２種類の電子マネーと電子チケットを保有可能に構成される。転売側端末装置１０２０の第２のメモリ部２７１３には、これら複数の電子マネーサービスや、電子マネー及び電子チケット移動サービスに係るデータが記録可能に構成される。
【０１７８】
本実施形態においては、購入側端末装置１０１０が、自身のリーダライタ機能を用いて、転売側端末装置１０２０の第２の通信アンテナ２７２と第２のＩＣチップ２７１から構成される非接触ＩＣカード機能の第２のメモリ部２７１３に記憶されているデータの書き換えを行う。
【０１７９】
アプリサーバ１０４０は、電子チケットを販売し、ある種類の電子マネーをそれとは異なる電子マネーに交換して異なる端末装置間で移動可能とし、更に電子チケットを異なる端末装置間で移動可能とする、電子マネー及び電子チケット移動サービスを提供する事業者が運営するサーバである。
【０１８０】
アプリサーバ１０４０は、図４に示すように、上述のアプリサーバ４０と同様の構成を備える。
アプリサーバ１４０の処理実行部４３は、情報取得部４２が取得した情報に基づいた各種処理を実行する。例えば、購入側端末装置１０１０からの電子マネー及び電子チケットの移動の要求を受信すると、処理実行部４３は、リモート発行サーバ１０５０に対してリーダライタ１７０の起動を要求する。
【０１８１】
購入側端末装置１０１０から電子マネー及び電子チケットの移動の実行の要求を受信すると、処理実行部４３は、リモート発行サーバ１０５０に対して、購入側端末装置１０１０の第１のメモリ部１７１３から移動分の第１の電子マネーを削除し、第１のメモリ部１７１３に電子チケットを追加する要求をする。
【０１８２】
更に、購入側端末装置１０１０から電子マネー及び電子チケットの移動の実行の要求を受信すると、処理実行部４３は、リモート発行サーバ５０に対して、転売側端末装置１０２０の第２のメモリ部２７１３へ移動分の第２の電子マネーを追加し、第２のメモリ部２７１３から電子チケットを削除する要求をする。
【０１８３】
アプリサーバ１０４０は、必要に応じて、リモート発行サーバ１０５０との間、購入側端末装置１０１０との間で情報の授受を行う。
【０１８４】
リモート発行サーバ１０５０は、購入側端末装置１０１０から送信される情報に基づいてアプリサーバ１０４０からなされる指示に基づいた処理を実行する。リモート発行サーバ１０５０は、図５に示すように、上述のリモート発行サーバ５０と同様の構成を備える。
【０１８５】
処理実行部５３は、情報取得部５２が取得した情報に基づいた各種処理を実行する。処理実行部５３が実行する各種処理は、購入側端末装置１０１０で入力された電子マネー及び電子チケット移動情報に基づいて行われる。
【０１８６】
例えば、アプリサーバ１０４０からリーダライタ１７０の起動要求を受信すると、処理実行部５３は、購入側端末装置１０１０に対してリーダライタ１７０の起動を指示する。
【０１８７】
アプリサーバ１０４０から、購入側端末装置１０１０の第１のメモリ部１７１３から移動分の第１の電子マネーを削除し、第１のメモリ部１７１３に電子チケットを追加する要求を受信すると、処理実行部５３は、購入側端末装置１０１０に対して、第１のメモリ部１７１３から移動分の第１の電子マネーを削除し、第１のメモリ部１７１３へ電子チケットを追加する指示を送信する。
【０１８８】
更に、アプリサーバ１０４０から、転売側端末装置１０２０の第２のメモリ部２７１３へ移動分の第２の電子マネーを追加し、第２のメモリ部２７１３から電子チケットを削除する要求を受信すると、処理実行部５３は、第１の端末装置１０に対して、第２のメモリ部２７１３へ移動分の第２の電子マネーを追加し、第２のメモリ部２７１３から電子チケットを削除する指示を送信する。
【０１８９】
電子マネー及び電子チケット移動サービスの事業者は、リモート発行サーバ１０５０を運営、管理する事業者に利用申し込みを行うことにより、電子マネー及び電子チケット移動サービスを提供できる。
【０１９０】
＜情報処理システムの動作説明＞
次に、図１１〜図１３を用いて上述の情報処理システム１１００の動作説明をする。ここでは、転売側端末装置１０２０が保有する電子チケットを購入側端末装置１０１０に移動し、この電子チケットの対価として、購入側端末装置１０１０が保有する第１の電子マネーとしての電子マネーＢを種類の違う第２の電子マネーとしての電子マネーＣに変換して転売側端末装置１０２０に移動する例をあげる。言い換えると、電子チケットと電子マネーという異なる電子バリューの交換が個人間で行われる。
【０１９１】
図１１及び図１２は、情報処理システム１１００の概要を説明する図である。図１３は、情報処理システム１１００を構成する各装置の動作例を示すシーケンス図である。以下、図１３に従って説明する。
【０１９２】
まず、購入側端末装置１０１０、転売側端末装置１０２０の双方それぞれに電子マネー及び電子チケット移動サービスアプリケーションプログラム１２８５がユーザによりダウンロードされる。これにより、電子マネー及び電子チケットの移動サービスの実行が可能となる。
【０１９３】
電子マネー及び電子チケット移動サービスアプリケーションプログラム１２８５が実行されることにより、例えば図１２（Ａ）に示すように、購入側端末装置１０１０の表示部１２２に電子マネー及び電子チケット移動情報入力画面が表示される。
【０１９４】
表示部１２２には、電子チケットの購入にあたって、購入側端末装置１０１０のユーザが保有する電子マネーのうちどの種類の電子マネーを使って支払うかを選択するチェック欄と、転売側端末装置１０２０のユーザにどの種類の電子マネーで支払うかを選択するチェック欄と、購入金額入力欄と、購入する電子チケットの内容が入力されるメモ欄と、チケット購入実行ボタンが表示される。
【０１９５】
購入側端末装置１０１０のユーザにより、購入側端末装置１０１０が保有する電子マネーから支払いに用いる電子マネーの種類が選択され、電子マネーをどの種類の電子マネーに変換して移動する、言い換えると、支払うかが選択される。
【０１９６】
例えば、図１２（Ａ）では、移動元の電子マネーの種類として電子マネーＢが選択され、移動先の電子マネーの種類として電子マネーＣが選択されている。更に、購入金額入力欄に購入金額、例えば１００００円が入力される。メモ欄には、購入するチケット名と目的、例えば「Ｇ劇団チケット購入」が入力される。
【０１９７】
購入側端末装置１０１０のユーザにより電子マネー及び電子チケットの移動情報が入力され、チケット購入ボタンがタップされると、第１の制御部１２６は、通信部１２１に、移動情報と電子マネー及び電子チケットの移動要求を、アプリサーバ１０４０に送信させる（Ｓ２０１）。
【０１９８】
アプリサーバ１０４０は、購入側端末装置１０１０から送信された移動要求を受信すると（Ｓ２０２）、リモート発行サーバ１０５０に対し、リーダライタ１７０の起動要求を送信する（Ｓ２０３）。
【０１９９】
リモート発行サーバ１０５０は、アプリサーバ１０４０から送信されたリーダライタ起動要求を受信すると（Ｓ２０４）、購入側端末装置１０１０に対し、リーダライタ機能の起動指示を送信する（Ｓ２０５）。
【０２００】
購入側端末装置１０１０の通信部１２１がリーダライタ１７０の起動の指示を受信すると（Ｓ２０６）、第１の制御部１２６はリーダライタ１７０を起動させる（Ｓ２０７）。リーダライタ１７０が起動すると、表示部１２２には、購入側端末装置１０１０と転売側端末装置１０２０とを近づけよう指示が表示される。
【０２０１】
リーダライタ１７０が起動し、購入側端末装置１０１０と転売側端末装置１０２０とが近接することにより、購入側端末装置１０１０と転売側端末装置１０２０との電磁波による非接触の近距離無線通信が成立する。
【０２０２】
近距離無線通信が成立すると、上述したアクセス認証及び相互認証が行われる。アクセス認証及び相互認証が正常に行われると、購入側端末装置１０１０のリーダライタ１７０を利用した電子マネー及び電子チケットの移動が可能な状態となる。
【０２０３】
アクセス認証及び相互認証が正常に行われると、転売側端末装置１０２０の表示部２２２には、例えば図１２（Ｂ）に示すように、転売金額欄、メモ欄といった移動情報が表示される。ここでは、転売金額欄に１００００円が表示され、メモ欄には、購入するチケット名と目的、例えば「Ｇ劇団チケット転売」が表示される。
【０２０４】
次に、第１のＩＣ制御部１７１２は、リーダライタ１７０に、購入側端末装置１０１０のユーザにより入力された電子チケットを、第２の端末装置２０が保有しているかの確認要求を転売側端末装置１０２０へ送信させる（Ｓ２０８）。
【０２０５】
転売側端末装置１０２０において、電子チケットの確認要求が受信されると（Ｓ２０９）、第２のＩＣ制御部２７１２は、購入側端末装置１０１０のユーザが入力した購入対象の電子チケットが存在するかどうかを確認する。
【０２０６】
第２のＩＣ制御部２７１２は、電子チケットが存在すると確認すると、電子チケットが存在するとの通知を第１の端末装置１０へ送信する（Ｓ２１０）。
【０２０７】
尚、ここで、転売側端末装置１０２０が、購入側端末装置１０１０のユーザにより入力された電子チケットを保有していない場合は、その旨が購入側端末装置１０１０に対して通知される。この通知を受け、購入側端末装置１０１０では、「対象の電子チケットはありません」という通知画面が表示される。
【０２０８】
購入側端末装置１０１０は、対象の電子チケットを保有しているとの確認結果を受信すると（Ｓ２１１）、アプリサーバ１０４０に対して、電子チケット保有認証が完了した報告を送信する（Ｓ２１２）。
【０２０９】
アプリサーバ１０４０は、電子チケット保有認証完了報告を受信すると（Ｓ２１３）、リモート発行サーバ１０５０に対し、リーダライタ１７０の起動要求を送信する（Ｓ２１４）。
【０２１０】
リモート発行サーバ１０５０は、アプリサーバ１０４０から送信されたリーダライタ１７０の起動要求を受信すると（Ｓ２１５）、購入側端末装置１０１０に対し、リーダライタ１７０の起動指示を送信する（Ｓ２１６）。
【０２１１】
購入側端末装置１０１０の通信部１２１がリーダライタ１７０の起動の指示を受信すると（Ｓ２１７）、第１の制御部１２６は、リーダライタ１７０を起動させる（Ｓ２１８）。リーダライタ１７０が起動し、購入側端末装置１０１０と転売側端末装置１０２０とが近接することにより、購入側端末装置１０１０と転売側端末装置１０２０との電磁波による非接触の近距離無線通信が成立する。
【０２１２】
次に、第１のＩＣ制御部１７１２は、リーダライタ１７０に、購入側端末装置１０１０のユーザにより入力された移動先の電子マネーの種類を、転売側端末装置１０２０が保有可能か否かの確認要求を転売側端末装置１０２０へ送信する（Ｓ２１９）。
【０２１３】
転売側端末装置１０２０により電子マネーの種類の確認要求が受信されると（Ｓ２２０）、第２のＩＣ制御部２７１２は、ユーザが入力した電子マネーが転売側端末装置１０２０で保有可能な電子マネーの種類かどうかを確認する。
【０２１４】
第２のＩＣ制御部２７１２は、ユーザが入力した電子マネーが転売側端末装置１０２０で保有可能な電子マネーの種類（本実施形態においては、電子マネーＣ）であると確認すると、ユーザが入力した電子マネーを保有可能であるとの通知を購入側端末装置１０１０へ送信する（Ｓ２２１）。
【０２１５】
尚、ここで、転売側端末装置１０２０が、ユーザが入力した電子マネーを保有することができない場合は、その旨が購入側端末装置１０１０に対して通知される。また、この通知とあわせて、転売側端末装置１０２０が保有可能な電子マネーの種類情報が購入側端末装置１０１０に対して送信される。
【０２１６】
購入側端末装置１０１０では、この通知を受け、転売側端末装置１０２０が保有可能な電子マネーの種類情報の通知画面が表示され、更に、図１２（Ａ）に示す入力画面が改めて表示される。
【０２１７】
購入側端末装置１０１０は、ユーザが入力した移動先の電子マネーの種類を転売側端末装置１０２０が保有可能であるとの確認結果を受信すると（Ｓ２２２）、電子マネー及び電子チケットの移動の実行の要求をアプリサーバ１０４０に送信する（Ｓ２２３）。
【０２１８】
アプリサーバ１０４０は、移動実行の要求を受信すると（Ｓ２２４）、リモート発行サーバ１０５０に対して、購入側端末装置１０１０が保有する電子マネーＢから移動分の金額を減算する要求を送信する（Ｓ２２５）。
【０２１９】
ここで、本実施形態においては、電子バリューが電子マネーである場合、電子バリューの削除処理を減算処理と称し、電子バリューの追加処理を加算処理と称す。また、電子バリューが電子チケットである場合、電子バリューの削除処理を消去処理と称し、電子バリューの追加処理を書込み処理と称す。
【０２２０】
リモート発行サーバ１０５０は、減算要求を受信し（Ｓ２２６）、購入側端末装置１０１０に対して減算処理の実行の指示を送信する（Ｓ２２７）。
【０２２１】
購入側端末装置１０１０においては、減算処理の実行の指示を受信すると（Ｓ２２８）、第１の制御部１２６は、第１のＩＣ制御部１７１２に、保有する電子マネーＢから移動分１００００円分の金額を減算する減算処理をさせて（Ｓ２２９）、第１のメモリ部１７１３に記憶される電子マネーＢのデータを書き換えさせる。
【０２２２】
このように、リモート発行サーバ１０５０により、購入側端末装置１０１０の第１のＩＣチップ１７１は遠隔操作される（リモート機能）。
【０２２３】
減算処理が終了すると、購入側端末装置１０１０は減算処理が完了した報告をアプリサーバ１０４０に送信する（Ｓ２３０）。アプリサーバ１０４０は、完了報告を受信する（Ｓ２３１）。
【０２２４】
次に、アプリサーバ１０４０は、リモート発行サーバ１０５０に対して、転売側端末装置１０２０が保有する電子チケットを消去する要求を送信する（Ｓ２３２）。
【０２２５】
リモート発行サーバ１０５０は、消去要求を受信し（Ｓ２３３）、第２のメモリ部２７１３から電子チケットを消去する消去処理の実行の指示を、購入側端末装置１０１０に送信する（Ｓ２３４）。
【０２２６】
購入側端末装置１０１０の第１の制御部１２６は、リモート発行サーバ１０５０からの指示を基に、リーダライタ１７０に、転売側端末装置１０２０に対して消去処理の実行の指示を送信させる。
【０２２７】
転売側端末装置１０２０において、消去処理の実行の指示を受信すると（Ｓ２３５）、第２のＩＣ制御部２７１２は、保有する対象の電子チケットを消去する消去処理をし（Ｓ２３６）、第２のメモリ部２７１３に記憶される電子チケットのデータを書き換える。
【０２２８】
このように、リモート発行サーバ１０５０により、購入側端末装置１０１０のリーダライタ１７０を介して、転売側端末装置１０２０の第１のＩＣチップ５７１は遠隔操作される（リーダライタ機能、リモート機能）。
【０２２９】
消去処理が終了すると、転売側端末装置１０２０は消去処理が完了した報告を、購入側端末装置１０１０のリーダライタ１７０に送信する。第１の制御部１２６は、リーダライタ１７０が完了報告を受信すると、アプリサーバ１０４０に完了報告を送信する（Ｓ２３７）。アプリサーバ１０４０は、完了報告を受信する（Ｓ２３８）。
【０２３０】
次に、アプリサーバ１０４０は、リモート発行サーバ１０５０に対して、購入側端末装置１０１０の第１のメモリ部１７１３に対象の電子チケットを書き込む要求を送信する（Ｓ２３９）。
【０２３１】
リモート発行サーバ１０５０は、書込要求を受信し（Ｓ２４０）、購入側端末装置１０１０へ電子チケットを書き込む書込処理の実行の指示を送信する（Ｓ２４１）。
【０２３２】
購入側端末装置１０１０において、書込処理の実行の指示を受信すると（Ｓ２４２）、
第１の制御部１２６は、第１のＩＣ制御部１７１２に、対象の電子チケットを書き込む書込処理をさせて（Ｓ２４３）、第１のメモリ部１７１３のデータを書き換えさせる。
【０２３３】
このように、リモート発行サーバ１０５０により、購入側端末装置１０１０の第１のＩＣチップ１７１は遠隔操作される（リモート機能）。
【０２３４】
書込処理が終了すると、購入側端末装置１０１０は書込処理が完了した報告を、アプリサーバ１０４０に送信する（Ｓ２４４）。アプリサーバ１０４０は、完了報告を受信する（Ｓ２４５）。
【０２３５】
次に、アプリサーバ１０４０は、リモート発行サーバ１０５０に対して、転売側端末装置１０２０が保有する電子マネーＣに移動分の金額を加算する加算要求を送信する（Ｓ２４６）。
【０２３６】
リモート発行サーバ１０５０は、加算要求を受信し（Ｓ２４７）、第２のメモリ部２７１３に移動分の金額を加算する加算処理の実行の指示をする（Ｓ２４８）。
【０２３７】
購入側端末装置１０１０の第１の制御部１２６は、リモート発行サーバ１０５０からの指示を基に、リーダライタ１７０に、転売側端末装置１０２０に対して加算処理の実行の指示を送信させる。
【０２３８】
転売側端末装置１０２０において、加算処理の実行の指示を受信すると（Ｓ２４９）、第２のＩＣ制御部２７１２は、保有する電子マネーＣに移動分１００００円分の金額を加算する加算処理をし（Ｓ２５０）、第２のメモリ部２７１３に記憶される電子マネーＣのデータを書き換える。
【０２３９】
このように、リモート発行サーバ１０５０により、購入側端末装置１０１０のリーダライタ１７０を介して、転売側端末装置１０２０の第２のＩＣチップ２７１は遠隔操作される（リーダライタ機能、リモート機能。）。
【０２４０】
加算処理が終了すると、転売側端末装置１０２０は加算処理が完了した報告を、購入側端末装置１０１０のリーダライタ１７０に送信する。第１の制御部１２６は、リーダライタ１７０が完了報告を受信すると、アプリサーバ１０４０に完了報告を送信する（Ｓ２５１）。アプリサーバ１０４０は、完了報告を受信する（Ｓ２５２）。
【０２４１】
アプリサーバ１０４０は、電子マネーと電子チケットの移動が終わり、電子マネーと電子チケットの交換が完了した報告を購入側端末装置１０１０に送信する（Ｓ２５３）。購入側端末装置１０１０では、電子マネーと電子チケットの交換完了の報告が受信され（Ｓ２５４）、表示部１２２に交換完了の報告が表示される。
【０２４２】
更に、アプリサーバ１０４０は、電子マネーと電子チケットの交換が完了した報告を、購入側端末装置１０１０のリーダライタ１７０を介して、転売側端末装置１０２０に送信する（Ｓ２５５）。転売側端末装置１０２０では、電子マネーと電子チケットの交換完了の報告が受信され（Ｓ２５６）、表示部２２２に交換完了の報告が表示される。
【０２４３】
上述の電子チケットは、例えば、アプリサーバ１０４０を管理するサービス業者から、二次元バーコードを用いた電子チケットとして提供される。
【０２４４】
電子チケットの消去処理においては、転売側端末装置１０２０の第２のＩＣチップ２７１の第２のメモリ部２７１３に記憶されていた二次元バーコードの電子チケットが削除される。
【０２４５】
一方、電子チケットの書込処理においては、購入側端末装置１０１０の第１のＩＣチップ１７１の第１のメモリ部１７１３に、削除した二次元バーコードとは異なるバーコードが新たに発行され追加されて記憶される。
【０２４６】
以上のように、本実施形態においては、購入側端末装置１０１０と転売側端末装置１０２０とをかざして近距離無線通信をすることにより、電子マネーと電子チケットの交換が可能となる。すなわち、異なる電子バリューの交換が可能となる。
【０２４７】
本実施形態においては、電子バリューの交換をする購入側端末装置（情報処理装置）と転売側端末装置（通信機器）がその場に存在しないと電子バリューの移動が行えないため、物理的な制限が生じる。
【０２４８】
したがって、第１の端末装置のユーザと第２の端末装置のユーザとが同じ場に存在することとなり、電子バリューの移動元となる第１の端末装置のユーザと移動先となる第２の端末装置のユーザとが、合意した上で電子バリュー交換が行われることになる。これにより、現金や現物での直接の受け渡しと同じような感覚で、電子マネーと電子チケットの交換を行うことができる。
【０２４９】
また、本実施形態では、電子マネー及び電子チケットの移動サービスを用いて電子マネーと電子チケットの交換が行われているので、サービス業者によって、転売の流れが把握可能であり不当な金額での電子チケットの売買を制限することができる。
【０２５０】
上述の実施形態においては、電子バリューとして電子マネー、電子チケットを例にあげて、電子バリューの移動について説明したが、これらに限定されず、例えば電子バリューとしてクーポンの移動に適用することも可能である。以下、第３実施形態として説明する。
【０２５１】
（第３実施形態）
図９は本実施形態に係る情報処理システム２１００の一構成例を示す。図１４及び図１５は、本実施形態における情報処理システムの概要を説明する図である。
【０２５２】
本実施形態においても、上述の実施形態と同様に、２つの端末装置間（ここでは、提供側端末装置２０１０と受取り側端末装置２０２０との間。）で電子バリューの移動が可能となっている。本実施形態では、電子バリューはクーポンであり、個人間で端末装置を用いたクーポンの引き渡しが可能となる。
【０２５３】
図９に示すように、情報処理システム２１００は、中間サーバとしてのアプリサーバ２０４０と、管理サーバとしてのリモート発行サーバ２０５０と、情報処理装置としての提供側端末装置２０１０と、通信機器としての受取り側端末装置２０２０と、通信網３０とを含んで構成される。上述の実施形態と同様の構成については同様の符号を付し、異なる点を中心に説明する。
【０２５４】
アプリサーバ２０４０は、図４に示す構成と同様の構成を備える。リモート発行サーバ２０５０は、図５に示す構成と同様の構成を備える。
【０２５５】
提供側端末装置２０１０は図２に示す構成とほぼ同様の構成を備え、受取り側端末装置２０２０は図１０に示す構成とほぼ同様の構成を備える。両端末装置には、アプリケーションプログラムとして、飲食店であるＡ店が提供するＡ店公式アプリケーションプログラム１２８９がダウンロードされ、プログラム記憶部１２８、２２８にそれぞれ記憶されている。
【０２５６】
このアプリケーションプログラム１２８９は、リモート発行サーバによる遠隔操作が可能なＩＣチップが搭載される端末装置対応のアプリケーションプログラムである。
【０２５７】
Ａ店公式アプリケーションプログラムを実行することにより、ユーザは、例えば、Ａ店の店舗情報、Ａ店利用によるポイントの入手、新商品情報、Ａ店が提供している食事のクーポン券入手等のサービスを受けることができる。
【０２５８】
ここでは、Ａ店公式アプリケーションプログラムの実行により提供されるサービスとして、クーポン券の他人への受け渡しがある場合について説明する。
【０２５９】
提供側端末装置２０１０がＡ店公式アプリケーションプログラムを実行することにより、図１２に示すように、Ａ店より新作メニューの試食券クーポンのプレゼントのお知らせが提供側端末装置２０１０に受信される。
【０２６０】
提供側端末装置２０１０が受信したクーポンは、他人への受け渡しが可能なものであり、提供側端末装置２０１０のユーザであるＣさんは、例えば受取り側端末装置２０２０のユーザであるＤさんにクーポンを受け渡すことができる。
【０２６１】
Ｄさんは、受取り側端末装置２０２０にＡ店公式アプリケーションプログラムをダウンロードすることにより、クーポンの受け取りが可能となる。
【０２６２】
図１５に示すように、リーダライタ１７０が起動し、提供側端末装置２０１０と受取り側端末装置２０２０とを近づけて近距離無線通信が成立すると、上述の第１の実施形態の第１の端末装置１０から第２の端末装置２０への電子マネーの移動と同様に、提供側端末装置２０１０が保有するクーポンが、受取り側端末装置２０２０に移動可能な状態となる。
【０２６３】
図１５（Ａ）は、提供側端末装置２０１０の表示部１２２に表示される表示画面の一例である。図１５（Ｂ）は、受取り側端末装置２０２０の表示部２２２に表示される表示画面の一例である。
このように、電子バリューとしてクーポンを移動するように構成することもできる。
【０２６４】
以上、本技術の各実施形態について説明したが、本技術は上述の実施形態にのみ限定されるものではなく、本技術の要旨を逸脱しない範囲内において種々変更を加え得ることは勿論である。
【０２６５】
第１実施形態では、第１の電子マネーを第２の電子マネーに変換して移動するという、電子マネーという同じカテゴリー内での異なる種類の電子バリューに変換しての移動となっている。異なる電子バリューに変換しての移動は、このような同一カテゴリー内に限定されない。
【０２６６】
例えば、あるユーザがためたポイントを電子マネーに変換して他のユーザに移動するようにしてもよく、異なるカテゴリーの電子バリューに変換しての移動も可能となるように構成することもできる。
【０２６７】
また、第２の実施形態では、電子マネーと電子チケットを交換する形態としたが、例えば電子マネーの授受はなく、第１の端末装置が保有する電子バリューとしての電子チケットを第２の端末装置に移動するような形態としてもよく、無償で電子チケットが譲渡される。
【０２６８】
また、上述の各実施形態においては、情報処理装置（第１の端末装置）が、電子バリューの移動を要求することにより、管理サーバ（リモート発行サーバ）からリーダライタの起動が指示され、この指示に基づき、リーダライタが起動されるように構成されているが、これに限定されない。
【０２６９】
例えば、管理サーバからのリーダライタの起動の指示なく、ユーザによる情報処理装置の表示部からの操作により情報処理装置内でリーダライタが起動するよう構成してもよい。
【０２７０】
このように管理サーバからの起動指示なくリーダライタが起動される場合、情報処理システムを構成する各装置の動作は、例えば第１の実施形態のような異なる電子マネーに変換しての移動の場合では、図８のＳ１０１〜Ｓ１０６のステップが省略された動作となる。
【０２７１】
そして、電子マネーの移動の実行要求を送信するステップであるＳ１１２では、図６（Ａ）や図７（Ａ）に示すような電子マネー移動情報を入力する画面にユーザが入力した情報を基に実行要求が送信される。
【０２７２】
なお、本技術は以下のような構成もとることができる。
（１）電子バリューが記録される第１のメモリ部と、
第２のメモリ部を備える通信機器と近距離無線通信を行うリーダライタと、
管理サーバと通信する通信部と、
前記リーダライタを介した前記通信機器との前記電子バリューの移動を制御する制御部と、
前記電子バリューの移動に関するユーザインターフェースを表示部に表示させるアプリケ―ションと
を具備し、
前記制御部は、前記アプリケーションの操作に基づき、前記通信部を介して前記管理サーバより受信した指示を基に、前記電子バリューの移動分を前記第１のメモリ部から削除し、前記移動分の電子バリューを前記通信機器の前記第２のメモリ部に追加させる指示を、前記リーダライタを介して前記通信機器に送信する
情報処理装置。
（２）前記（１）に記載の情報処理装置であって、
前記制御部は、前記アプリケーションの操作に基づき、前記通信部を介して前記管理サーバより受信した指示を基に、前記リーダライタを起動する
情報処理装置。
（３）前記（１）又は（２）に記載の情報処理装置であって、
前記電子バリューの移動は、種類が異なる電子バリューに変換しての移動である
情報処理装置。
（４）前記（１）から（３）のうちいずれか１つに記載の情報処理装置であって、
前記第１のメモリ部は前記電子バリューとして第１の電子マネーを記録可能に構成され、前記第２のメモリ部は前記第１の電子マネーとは異なる種類の第２の電子マネーを記録可能に構成され、
前記制御部は、前記アプリケーションの操作に基づき、前記通信部を介して前記管理サーバより受信した指示を基に、移動分の前記第１の電子マネーを前記第１のメモリ部から削除し、前記移動分の前記第１の電子マネーから変換された第２の電子マネーを前記第２のメモリ部に追加させる指示を、前記リーダライタを介して前記通信機器に送信する
情報処理装置。
（５）前記（１）から（３）のうちいずれか１つに記載の情報処理装置であって、
前記第１のメモリ部は前記電子バリューとして第１の電子マネーと電子チケットを記録可能に構成され、前記第２のメモリ部は前記第１の電子マネーとは種類が異なる第２の電子マネーと前記電子チケットを記録可能に構成され、
前記制御部は、前記アプリケーションの操作に基づき、前記通信部を介して前記管理サーバより受信した指示を基に、移動分の前記第１の電子マネーを前記第１のメモリ部から削除し、前記電子チケットを前記第１のメモリ部に追加し、前記移動分の前記第１の電子マネーから変換された第２の電子マネーを前記第２のメモリ部に追加させ、前記電子チケットを前記第２のメモリ部から削除させる指示を、前記リーダライタを介して前記通信機器に送信する
情報処理装置。
（６）前記（１）又は（２）に記載の情報処理装置であって、
前記電子バリューは電子チケットである
情報処理装置。
（７）前記（１）又は（２）に記載の情報処理装置であって、
前記電子バリューはクーポンである
情報処理装置。
（８）第１の電子バリューが記録される第１のメモリ部とリーダライタとを備え、管理サーバと通信する情報処理装置の前記リーダライタと近距離無線通信する近距離無線通信部と、
前記第１の電子バリューとは異なる種類の第２の電子バリューが記録される第２のメモリ部と
を具備し、
前記第２のメモリ部には、前記情報処理装置からの前記第１のメモリ部に記録される前記第１の電子バリューを前記第２の電子バリューに変換して前記第２のメモリ部へ移動するという電子バリューの移動の要求を基になされた前記管理サーバからの指示に基づき、前記リーダライタを介して、移動分の前記第２の電子バリューが追加される
通信機器。
（９）リーダライタと電子バリューが記録される第１のメモリ部とを備える情報処理装置の前記第１のメモリ部に記録される前記電子バリューを、前記リーダライタと近距離無線通信し、第２のメモリ部を備える通信機器の前記第２のメモリ部に移動するという前記情報処理装置からの前記電子バリューの移動の要求を受信する通信部と、
前記情報処理装置に対し、前記電子バリューの移動の要求を基に、移動分の前記電子バリューを前記第１のメモリ部から削除する指示と、移動分の前記電子バリューを前記通信機器の前記第２のメモリ部に追加する指示をする処理実行部と
を具備する管理サーバ。
（１０）前記（９）に記載の管理サーバであって、
前記第１のメモリ部は前記電子バリューとして第１の電子マネーを記録可能に構成され、前記第２のメモリ部は前記第１の電子マネーとは異なる種類の第２の電子マネーを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動の要求を基に、前記情報処理装置に対して移動分の前記第１の電子マネーを前記第１のメモリ部から削除する指示と、移動分の前記第２の電子マネーを前記第２のメモリ部に追加する指示をする
管理サーバ。
（１１）前記（９）に記載の管理サーバであって、
前記第１のメモリ部は前記電子バリューとして第１の電子マネーと電子チケットを記録可能に構成され、前記第２のメモリ部は前記第１の電子マネーと種類が異なる第２の電子マネーと前記電子チケットを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動と前記第２のメモリ部に記録される前記電子チケットの前記第１のメモリ部への移動の要求を基に、前記情報処理装置に対して、移動分の前記第１の電子マネーを前記第１のメモリ部から削除し、前記電子チケットを前記第１のメモリ部に追加する指示と、前記電子チケットを前記第２のメモリ部から削除し、移動分の前記第２の電子マネーを前記第２のメモリ部に追加する指示をする
管理サーバ。
（１２）リーダライタと電子バリューが記録される第１のメモリ部とを備える情報処理装置から、第２のメモリ部を備え、前記リーダライタと近距離無線通信する通信機器の前記第２のメモリ部に、前記第１のメモリ部に記録される前記電子バリューを移動するという前記電子バリューの移動の要求を受信する通信部と、
前記電子バリューの移動要求を基に、前記管理サーバに対して、移動分の前記電子バリューを前記第１のメモリ部から削除し、移動分の前記電子バリューを前記第２のメモリ部に追加するよう要求する処理実行部と
を具備する中間サーバ。
（１３）前記（１２）に記載の中間サーバであって、
前記第１のメモリ部は前記電子バリューとして第１の電子マネーを記録可能に構成され、前記第２のメモリ部は前記第１の電子マネーとは異なる種類の第２の電子マネーを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動の要求を基に、前記管理サーバに対して、移動分の前記第１の電子マネーを前記第１のメモリ部から削除し、移動分の前記第２の電子マネーを前記第２のメモリ部に追加するよう要求する
中間サーバ。
（１４）前記（１２）に記載の中間サーバであって、
前記第１のメモリ部は前記電子バリューとして第１の電子マネーと電子チケットを記録可能に構成され、前記第２のメモリ部は前記第１の電子マネーと種類が異なる第２の電子マネーと前記電子チケットを記録可能に構成され、
前記処理実行部は、前記情報処理装置からの前記第１のメモリ部に記録される前記第１の電子マネーを前記第２の電子マネーに変換して前記第２のメモリ部へ移動するという電子マネーの移動と前記第２のメモリ部に記録される前記電子チケットの前記第１のメモリ部への移動の要求を基に、前記管理サーバに対して、移動分の前記第１の電子マネーを前記第１のメモリ部から削除し、移動分の前記第２の電子マネーを前記第２のメモリ部に追加し、前記電子チケットを前記第２のメモリ部から削除し、前記電子チケットを前記第１のメモリ部に追加するよう要求する
中間サーバ。
（１５）通信部とリーダライタと電子バリューが記録される第１のメモリ部を備え、前記リーダライタを用いて、電子バリューが記録される第２のメモリ部を備える通信機器と近距離無線通信をする情報処理装置の情報処理方法であって、
前記第２のメモリ部への前記第１のメモリ部に記録される電子バリューの移動を、前記通信部を介して中間サーバに要求し、
前記リーダライタを起動し、
前記リーダライタを用いて前記通信機器と近距離無線通信し、
前記電子バリューの移動の要求を基に前記中間サーバにより前記管理サーバに対してなされた要求に基づいて前記管理サーバからなされた指示により、移動分の前記電子バリューを前記第１のメモリ部から削除し、移動分の前記電子バリューを前記第２のメモリ部に追加させる指示を、前記リーダライタを介して前記通信機器に対して送信する
情報処理方法。
（１６）第２のメモリ部を備える通信機器と近距離無線通信を行うリーダライタと電子バリューが記録される第１のメモリ部とを備える情報処理装置と通信する管理サーバの情報処理方法であって、
前記情報処理装置から前記第１のメモリ部に記録される前記電子バリューを前記第２のメモリ部に移動するという前記電子バリューの移動の要求を受けた中間サーバから送信された、前記第１のメモリ部から移動分の前記電子バリューを削除する削除要求を受信し、
前記削除要求を基に、前記情報処理装置に対して、移動分の前記電子バリューを前記第１のメモリ部から削除するよう指示し、
前記中間サーバから送信された、前記第２のメモリ部へ移動分の前記電子バリューを追加する追加要求を受信し、
前記追加要求を基に、前記情報処理装置に対して、移動分の前記電子バリューを前記第２のメモリ部に追加するよう指示する
情報処理方法。
（１７）第２のメモリ部を備える通信機器と近距離無線通信を行うリーダライタと電子バリューが記録される第１のメモリ部とを備える情報処理装置と管理サーバと通信する中間サーバの情報処理方法であって、
前記情報処理装置から、前記第１のメモリ部に記録される前記電子バリューを前記第２のメモリ部に移動するという前記電子バリューの移動の要求を受信し、
前記管理サーバに対し、前記第１のメモリ部からの移動分の前記電子バリューの削除を要求し、
前記管理サーバに対し、前記第２のメモリ部への移動分の前記電子バリューの追加を要求する
情報処理方法。
【符号の説明】
【０２７３】
１０…第１の端末装置（情報処理装置）
２０…第２の端末装置（通信機器）
４０、１０４０、２０４０…アプリサーバ（中間サーバ）
４１、５１…通信部
４３、５３…処理実行部
５０、１０５０、２０５０…リモート発行サーバ（管理サーバ）
１２１…通信部
１２２…表示部
１２６…第１の制御部（制御部）
１７０…リーダライタ
２７２…第２の通信アンテナ（近距離無線通信部）
１０１０…購入側端末装置（情報処理装置）
１０２０…転売側端末装置（通信機器）
１７１３…第１のメモリ部
２０１０…提供側端末装置（情報処理装置）
２０２０…受取り側端末装置（通信機器）
２７１３…第２のメモリ部
【図１】
2019044167.tif 000003
【図２】
2019044167.tif 000004
【図３】
2019044167.tif 000005
【図４】
2019044167.tif 000006
【図５】
2019044167.tif 000007
【図６】
2019044167.tif 000008
【図７】
2019044167.tif 000009
【図８】
2019044167.tif 000010
【図９】
2019044167.tif 000011
【図１０】
2019044167.tif 000012
【図１１】
2019044167.tif 000013
【図１２】
2019044167.tif 000014
【図１３】
2019044167.tif 000015
【図１４】
2019044167.tif 000016
【図１５】
2019044167.tif 000017
【国際調査報告】
2019044167.tif 000018
2019044167.tif 000019
2019044167.tif 000020
2019044167.tif 000021